(57)【要約】      （修正有）【課題】効率よく再利用できるプリンタリセッタを提供する。【解決手段】リセッタ３４に、外部にボールを発射するように構成される発射ユニット３９を備える。外部から駆動力が入力される駆動入力部を有し、発射装置は、駆動入力部が受ける駆動力により、物体を発射する弾性部材は、弾性エネルギーを蓄積する第１状態と、第１状態において蓄積した弾性エネルギーを解放する第２状態とに、弾性変形するように構成されていてもよく、力付与部材は、弾性部材の第１状態から第２状態への弾性変形により、物体に力を付与する。【選択図】図２
2014170138.tif 000002
【特許請求の範囲】
【請求項１】
プリンタリセッタであって、
当該プリンタリセッタの外部に物体を発射するように構成される発射装置を備えることを特徴とする、プリンタリセッタ。
【請求項２】
前記発射装置は、前記物体を備えることを特徴とする、請求項１に記載のプリンタリセッタ。
【請求項３】
当該プリンタリセッタの外部から供給される駆動力が入力される駆動入力部を有し、
前記発射装置は、前記駆動入力部が受ける駆動力により、前記物体を発射するように構成されている、請求項１または２に記載のプリンタリセッタ。
【請求項４】
前記発射装置は、
前記物体を発射するための力を、前記物体に付与するように構成される力付与部材を有していることを特徴とする、請求項３に記載のプリンタリセッタ。
【請求項５】
前記力付与部材は、
移動することにより、前記物体に前記力を付与するように構成されていることを特徴とする、請求項４に記載のプリンタリセッタ。
【請求項６】
前記力付与部材は、弾性部材を有し、
前記弾性部材は、
弾性変形することにより、前記物体に前記力を付与するように構成されていることを特徴とする、請求項５に記載のプリンタリセッタ。
【請求項７】
前記弾性部材は、
弾性エネルギーを蓄積する第１状態と、前記第１状態において蓄積した弾性エネルギーを解放する第２状態とに、弾性変形するように構成され、
前記力付与部材は、
前記弾性部材の前記第１状態から前記第２状態への弾性変形により、前記物体に前記力を付与するように構成されていることを特徴とする、請求項６に記載のプリンタリセッタ。
【請求項８】
前記力付与部材は、
前記第１状態にある前記弾性部材が、前記駆動入力部が受ける駆動力により、前記第２状態へ弾性変形することによって、前記物体に前記力を付与するように構成されていることを特徴とする、請求項７に記載のプリンタリセッタ。
【請求項９】
前記駆動入力部が受ける駆動力により移動するように構成される移動部材を備え、
前記移動部材は、
移動により前記力付与部材と係合するように構成され、かつ、移動により前記力付与部材との係合が解除されるように構成され、
前記弾性部材は、
前記移動部材の移動に伴い、前記移動部材と前記力付与部材とが係合することにより、前記第２状態から前記第１状態に弾性変形され、
前記移動部材の移動に伴い、前記移動部材と前記力付与部材との係合が解除されることにより、前記第１状態から前記第２状態に弾性変形されるように構成されていることを特徴とする、請求項７または８に記載のプリンタリセッタ。
【請求項１０】
前記発射装置は、
前記物体を収容するように構成される収容部を有していることを特徴とする、請求項４〜９のいずれか一項に記載のプリンタリセッタ。
【請求項１１】
前記力付与部材は、
前記物体に対して、第１方向に力を付与するように構成され、
前記収容部に収容されている前記物体は、
前記第１方向とは異なる第２方向に移動することにより、前記力付与部材から力が付与される力付与位置に供給されるように構成されていることを特徴とする、請求項１０に記載のプリンタリセッタ。
【請求項１２】
前記発射装置は、
前記物体を、前記力付与部材から力が付与される力付与位置に供給するように構成される供給部材を備えることを特徴とする、請求項１１に記載のプリンタリセッタ。
【請求項１３】
前記発射装置は、
前記収容部に設けられている第１受部と、
前記力付与位置にある前記物体を受ける第２受部とを備え、
前記供給部材は、
前記収容部に収容されている前記物体を、前記第１受部から前記第２受部に移動させるように構成され、
前記力付与部材は、
前記第２受部に位置する前記物体に力を付与するように構成されていることを特徴とする、請求項１２に記載のプリンタリセッタ。
【請求項１４】
前記供給部材は、
前記駆動入力部が受ける駆動力により、前記収容部に収容されている前記物体を、前記第１受部から前記第２受部に移動させるように構成されていることを特徴とする、請求項１３に記載のプリンタリセッタ。
【請求項１５】
前記収容部は、
前記力付与部材に向けて、前記物体を排出するように構成される排出口を有し、
前記供給部材は、
前記物体の供給または前記物体の供給停止に伴って、前記排出口を開閉するように構成される供給規制部を有していることを特徴とする、請求項１２〜１４のいずれか一項に記載のプリンタリセッタ。
【請求項１６】
前記発射装置は、
前記力付与部材から力を付与された物体の移動をガイドするように構成されるガイド部を有していることを特徴とする、請求項４〜１５のいずれか一項に記載のプリンタリセッタ。
【請求項１７】
前記ガイド部は、
前記物体を、前記力付与部材が前記物体に付与する力の方向である第１方向に移動するようにガイドする第１ガイド部と、
前記物体を、前記第１方向とは異なる方向に移動するようにガイドする第２ガイド部とを有していることを特徴とする、請求項１６に記載のプリンタリセッタ。
【請求項１８】
筐体を有し、
前記筐体は、互いに向かい合う第１壁および第２壁を有し、
前記発射装置は、前記第１壁に設けられ、
前記第２ガイド部は、
前記第１壁および前記第２壁が向かい合う方向である第３方向において、前記物体を、前記第１壁から離れる方向に移動するようにガイドすることを特徴とする、請求項１７に記載のプリンタリセッタ。
【請求項１９】
前記ガイド部における前記物体の移動方向の下流側端部は、前記第３方向に投影したときに、前記筐体の投影面の外形の外側に位置していることを特徴とする、請求項１８に記載のプリンタリセッタ。
【請求項２０】
筐体を有し、
前記筐体は、互いに向かい合う第１壁および第２壁を有し、
前記発射装置は、前記第１壁に設けられ、
前記第２ガイド部における前記物体の移動方向の下流側端部は、
前記第１壁および前記第２壁が向かい合う方向である第３方向において、前記第１ガイド部の前記移動方向の上流側端部よりも、前記第１壁から離れていることを特徴とする、請求項１７に記載のプリンタリセッタ。
【請求項２１】
前記第１ガイド部の延びる方向と前記第２ガイド部の延びる方向とが形成する角の角度が、０°よりも大きく１８０°以下であることを特徴とする、請求項１７〜２０のいずれか一項に記載のプリンタリセッタ。
【請求項２２】
前記物体が複数備えられており、
前記収容部は、複数の前記物体を収容するように構成されていることを特徴とする、請求項４〜２１のいずれか一項に記載のプリンタリセッタ。
【請求項２３】
前記発射装置は、
前記物体を収容するように構成される収容部を有していることを特徴とする、請求項１または２に記載のプリンタリセッタ。
【請求項２４】
前記発射装置は、複数の前記物体を発射するように構成されていることを特徴とする、請求項２３に記載のプリンタリセッタ。
【請求項２５】
前記物体が複数備えられており、
前記収容部は、複数の前記物体を収容するように構成されていることを特徴とする、請求項２３または２４に記載のプリンタリセッタ。
【請求項２６】
前記発射装置は、
前記物体を発射するための力を、前記物体に付与するように構成される力付与部材を有していることを特徴とする、請求項１または２に記載のプリンタリセッタ。
【請求項２７】
前記力付与部材は、
移動することにより、前記物体に前記力を付与するように構成されていることを特徴とする、請求項２６に記載のプリンタリセッタ。
【請求項２８】
前記力付与部材は、弾性部材を有し、
前記弾性部材は、
弾性変形することにより、前記物体に前記力を付与するように構成されていることを特徴とする、請求項２７に記載のプリンタリセッタ。
【請求項２９】
前記弾性部材は、
弾性エネルギーを蓄積する第１状態と、前記第１状態において蓄積した弾性エネルギーを解放する第２状態とに、弾性変形するように構成され、
前記力付与部材は、
前記弾性部材の前記第１状態から前記第２状態への弾性変形により、前記物体に前記力を付与するように構成されていることを特徴とする、請求項２８に記載のプリンタリセッタ。
【請求項３０】
発射装置を支持し、取っ手を有するフレームを、さらに備えることを特徴とする、請求項１〜２９のいずれか一項に記載のプリンタリセッタ。
【発明の詳細な説明】
【技術分野】
【０００１】
本発明は、印刷装置をリセットするためのプリンタリセッタに関する。
【背景技術】
【０００２】
従来より、カートリッジが装置本体に着脱自在に装着される画像形成装置が知られている。このような画像形成装置は、装着されたカートリッジの情報を検知するための検知機構を備えている。
【０００３】
そのような画像形成装置として、例えば、下記のような複写機が提案されている。複写機において、装置本体が、カートリッジとしてのユニットの交換時期を判断するために画像形成回数をカウントするカウンタと、カウンタに接続されるカウンタスイッチとを備えている。また、ユニットが、突片部を有する歯車部材と、歯車部材を回転させるためのギア機構とを備えている（例えば、特許文献１参照）。
【０００４】
そのような複写機では、未使用のユニットが装置本体に装着されたときに、作用位置にある歯車部材の突片部がカウンタスイッチを押圧して、カウンタをリセットする。これによって、装着されたユニットの情報が検知される。その後、ギア機構を介して歯車部材に駆動力が伝達されることにより、歯車部材が、作用位置から、突片部とリセットスイッチとの干渉が回避される非作用位置に回転される。
【先行技術文献】
【特許文献】
【０００５】
【特許文献１】特開平０６−２０２４０３号公報
【発明の概要】
【発明が解決しようとする課題】
【０００６】
しかるに、近年、環境保護の観点から、各部材の再利用が検討されている。
【０００７】
しかし、特許文献１に記載のユニットでは、歯車部材およびギア機構を離脱不能に備えているので、歯車部材およびギア機構の再利用が困難である。
【０００８】
そこで、本発明の目的は、効率よく再利用できるリセッタを提供することにある。
【課題を解決するための手段】
【０００９】
（１）上記した目的を達成するために、本発明のプリンタリセッタは、プリンタリセッタの外部に物体を発射するように構成される発射装置を備えている。
【００１０】
このような構成によれば、プリンタリセッタが発射装置を備え、発射装置が外部に物体を発射することにより、印刷装置をリセットできるので、印刷装置をリセットするための部材を、印刷装置に装着されるカートリッジに備える必要がない。そのため、カートリッジとプリンタリセッタとを別々に再利用できる。従って、プリンタリセッタを効率よく再利用できる。
【００１１】
しかるに、カートリッジが、印刷装置に備えられる検知機構に作用して、印刷装置をリセットする場合、印刷装置に備えられる検知機構と、それとは別体のカートリッジとのそれぞれが互いに作用するので、印刷装置のリセットが不安定となる場合がある。
【００１２】
一方、上記の構成によれば、プリンタリセッタが発射装置を備えているので、発射装置から発射された物体を、印刷装置の検知機構に検知させることができる。つまり、検知機構は、プリンタリセッタから発射された物体を印刷装置において検知する。そのため、検知機構に物体を確実に検知させることができ、印刷装置を確実にリセットできる。
（２）また、発射装置は、物体を備えていてもよい。
【００１３】
このような構成によれば、発射装置は物体を予め備えることになるので、発射装置は物体を確実に発射することができる。
（３）また、プリンタリセッタは、プリンタリセッタの外部から駆動力が入力される駆動入力部を有していてもよい。この場合、発射装置は、駆動入力部が受ける駆動力により、物体を発射するように構成されている。
【００１４】
このような構成によれば、駆動入力部が受ける駆動力により、発射装置が物体を発射するので、発射装置は物体を確実に発射することができる。
（４）また、発射装置は、物体を発射するための力を、物体に付与するように構成される力付与部材を有していてもよい。
【００１５】
このような構成によれば、力付与部材が、物体に発射するための力を付与するので、発射装置は物体をより一層確実に発射することができる。
（５）また、力付与部材は、移動することにより、物体に力を付与するように構成されていてもよい。
【００１６】
このような構成によれば、力付与部材が移動することにより、発射するための力を物体に付与することができる。
（６）また、力付与部材は、弾性部材を有していてもよい。この場合、弾性部材は、弾性変形することにより、物体に力を付与するように構成されている。
【００１７】
このような構成によれば、弾性部材が弾性変形することにより、発射するための力を物体に付与する。そのため、簡易な構成でありながら、発射するための力を物体に確実に付与することができる。
（７）また、弾性部材は、弾性エネルギーを蓄積する第１状態と、第１状態において蓄積した弾性エネルギーを解放する第２状態とに、弾性変形するように構成されていてもよい。この場合、力付与部材は、弾性部材の第１状態から第２状態への弾性変形により、物体に力を付与するように構成されている。
【００１８】
このような構成によれば、力付与部材は、弾性部材の第１状態から第２状態への弾性変形により、物体に力を付与する。そのため、簡易な構成でありながら、発射するための力を物体により一層確実に付与することができる。
（８）また、力付与部材は、第１状態にある弾性部材が、駆動入力部が受ける駆動力により、第２状態へ弾性変形することによって、物体に力を付与するように構成されていてもよい。
【００１９】
このような構成によれば、力付与部材は、駆動入力部が受ける駆動力により、弾性部材を第１状態から第２状態に弾性変形させることができる。そのため、発射するための力を物体に確実に付与できる。
（９）また、プリンタリセッタは、駆動入力部が受ける駆動力により移動するように構成される移動部材を備えていてもよい。この場合、移動部材は、移動により力付与部材と係合するように構成され、かつ、移動により力付与部材との係合が解除されるように構成されている。また、弾性部材は、移動部材の移動に伴い、移動部材と力付与部材とが係合することにより、第２状態から第１状態に弾性変形され、移動部材の移動に伴い、移動部材と力付与部材との係合が解除されることにより、第１状態から第２状態に弾性変形されていてもよい。
【００２０】
このような構成によれば、移動部材が、駆動入力部が受ける駆動力により移動して、力付与部材と係合することにより、弾性部材が第２状態から第１状態に弾性変形され、移動部材と力付与部材との係合が解除されることにより、第１状態から第２状態に弾性変形される。そのため、駆動入力部が受ける駆動力によって、移動部材を移動させることにより、弾性部材を第１状態と第２状態とに確実に弾性変形させることができる。
（１０）また、発射装置は、物体を収容するように構成される収容部を有していてもよい。
【００２１】
このような構成によれば、物体を確実に収容することができ、物体の効率的な配置を確保することができる。
（１１）また、力付与部材は、物体に対して、第１方向に力を付与するように構成されていてもよい。この場合、収容部に収容されている物体は、第１方向とは異なる第２方向に移動することにより、力付与部材から力が付与される力付与位置に供給されるように構成されている。
【００２２】
このような構成によれば、第１方向と第２方向とが同一の方向である場合と比較して、簡易な構成でありながら、力付与位置にある物体に確実に力を付与することができる。
（１２）また、発射装置は、物体を、力付与部材から力が付与される力付与位置に供給するように構成される供給部材を備えていてもよい。
【００２３】
このような構成によれば、供給部材が、収容部に収容される物体を力付与位置に供給するので、物体を確実に力付与位置に配置できる。
（１３）また、発射装置は、収容部に設けられている第１受部と、力付与位置にある物体を受ける第２受部とを備えていてもよい。この場合、供給部材は、収容部に収容されている物体を、第１受部から第２受部に移動させるように構成され、力付与部材は、第２受部に位置する物体に力を付与するように構成されている。
【００２４】
このような構成によれば、供給部材が、収容部に収容されている物体を、第１受部から第２受部に移動させるので、発射装置の発射動作の開始前においては、物体を収容部に確実に収容させることができながら、発射装置の発射動作時においては、物体を、第１受部から第２受部に確実に移動させることができ、物体を力付与位置に確実に配置することができる。
（１４）また、供給部材は、駆動入力部が受ける駆動力により、収容部に収容されている物体を、第１受部から第２受部に移動させるように構成されていてもよい。
【００２５】
このような構成によれば、供給部材が、駆動入力部が受ける駆動力により、収容部に収容されている物体を、第１受部から第２受部に移動させる。つまり、発射装置の発射動作と、供給部材の物体の供給動作とのそれぞれの動作が、駆動入力部が受ける駆動力により実行される。そのため、発射装置の発射動作と、供給部材の供給動作とを確実に連動させることができる。その結果、発射装置の発射動作時において、物体を第１受部から第２受部に確実に供給することができる。
（１５）また、収容部は、力付与部材に向けて、物体を排出するように構成される排出口を有していてもよい。この場合、供給部材は、物体の供給または物体の供給停止に伴って、排出口を開閉するように構成される供給規制部を有している。
【００２６】
このような構成によれば、供給部材の物体の供給動作時において、収容部に収容される物体が、収容部から排出口を介して、所望せず排出されてしまうことを抑制できる。
（１６）また、発射装置は、力付与部材から力を付与された物体の移動をガイドするように構成されるガイド部を有していてもよい。
【００２７】
このような構成によれば、力付与部材から力を付与された物体は、ガイド部により移動がガイドされる。そのため、発射装置による物体の安定した発射を確保することができる。
（１７）また、ガイド部は、物体を、力付与部材が物体に付与する力の方向である第１方向に移動するようにガイドする第１ガイド部と、物体を、第１方向とは異なる方向に移動するようにガイドする第２ガイド部とを有していてもよい。
【００２８】
このような構成によれば、力付与部材により力を付与された物体は、第２ガイド部によりガイドされて、第１方向とは異なる方向に移動される。そのため、物体を、第１方向とは異なる方向において、発射装置から遠方に到達させることができる。
（１８）また、筐体を有していてもよい。筐体は、互いに向かい合う第１壁および第２壁を有していてもよい。この場合、発射装置は、第１壁に設けられ、第２ガイド部は、第１壁および第２壁が向かい合う方向である第３方向において、物体を、第１壁から離れる方向に移動するようにガイドする。
【００２９】
このような構成によれば、第２ガイド部が、物体を、第１壁から離れる方向に移動するようにガイドするので、発射装置から発射された物体を、第３方向において、筐体から遠方に確実に到達させることができる。
（１９）また、ガイド部における物体の移動方向の下流側端部は、第３方向に投影したときに、筐体の投影面の外形の外側に位置していてもよい。
【００３０】
このような構成によれば、発射装置から発射された物体を、筐体から遠方により一層確実に到達させることができる。
（２０）また、第２ガイド部における物体の移動方向の下流側端部が、第３方向において、第１ガイド部の移動方向の上流側端部よりも、第１壁から離れていてもよい。
【００３１】
このような構成によれば、発射装置から発射された物体を、第３方向において、筐体から遠方に確実に到達させることができる。
（２１）また、第１ガイド部の延びる方向と第２ガイド部の延びる方向とが形成する角の角度が、０°よりも大きく１８０°以下であってもよい。
【００３２】
このような構成によれば、発射装置から発射された物体を、第３方向において、発射装置から遠方により一層確実に到達させることができる。
（２２）また、物体が複数備えられていてもよい。この場合、収容部は、複数の物体を収容するように構成されている。
【００３３】
このような構成によれば、物体が複数備えられているので、発射装置は、物体を複数発射することができる。
（２３）また、プリンタリセッタは、発射装置を支持し、取っ手を有するフレームを、さらに備えていてもよい。
【００３４】
このような構成によれば、ユーザがプリンタリセッタを操作するときに、取っ手を把持することができるので、プリンタリセッタの操作性の向上を図ることができる。
【発明の効果】
【００３５】
本発明のプリンタリセッタによれば、効率よく再利用できながら、印刷装置を確実にリセットできる。
【図面の簡単な説明】
【００３６】
【図１】図１は、本発明のプリンタリセッタの第１実施形態としてのリセッタが装着されたドラムカートリッジを左後方から見た斜視図である。
【図２】図２は、図１に示すリセッタを左後方から見た斜視図である。
【図３】図３は、図２に示すリセッタの左側面図である。
【図４】図４は、図３に示すリセッタを左前方から見た斜視図である。
【図５】図５は、図４に示す発射ユニットを左前方から見た分解斜視図である。
【図６】図６Ａは、図５に示すギヤカバーを左前方から見た斜視図である。図６Ｂは、図６Ａに示すギヤカバーを右前方から見た斜視図である。
【図７】図７Ａは、図５に示すボール供給ギヤを左前方から見た斜視図である。図７Ｂは、図７Ａに示すボール供給ギヤを右前方から見た斜視図である。
【図８】図８Ａは、図５に示すガイドフレームの左側面図である。図８Ｂは、図５に示す進出部材を左後方から見た斜視図である。
【図９】図９は、図３に示すリセッタの左側面図であって、ギヤカバーおよびガイドカバーを、発射ユニットから除いた状態を示す。
【図１０】図１０Ａは、図９に示す発射ユニットによるボールの発射を説明するための説明図であって、ボール供給ギヤが初期位置にあり、ガイドカバーを、発射ユニットから除いた状態の左側面図を示す。図１０Ｂは、図１０Ａに示す発射ユニットの側断面図であって、ボール供給ギヤの欠け歯ギヤ部とアジテータギヤとの噛合状態を示す。
【図１１】図１１Ａは、図１０Ａに続いて、発射ユニットによるボールの発射を説明するための説明図であって、ボール供給ギヤの突起と進出部材の突起とが当接し、進出部材が閉鎖位置と開放位置との間にある状態を示す。図１１Ｂは、図１１Ａに続いて、発射ユニットによるボールの発射を説明するための説明図であって、進出部材が開放位置にあり、ボールがボール受部から第１ガイド部に供給される途中の状態を示す。
【図１２】図１２Ａは、図１１Ｂに続いて、発射ユニットによるボールの発射を説明するための説明図であって、進出部材が開放位置にあり、ボールが力付与位置にある状態を示す。図１２Ｂは、図１２Ａに続いて、発射ユニットによるボールの発射を説明するための説明図であって、進出部材が閉鎖位置にあり、ボールが発射された状態を示す。
【図１３】図１３Ａは、図１２Ｂに続いて、発射ユニットによるボールの発射を説明するための説明図であって、すべてのボールが発射された状態を示す。図１３Ｂは、図１３Ａに示す発射ユニットの側断面図であって、ボール供給ギヤが終着位置にある状態を示す。
【図１４】図１４は、図１３Ａに示す発射ユニットおよび検知機構の正断面図である。
【図１５】図１５Ａは、本発明のリセッタの第２実施形態に係る発射ユニットを左前方から見た斜視図である。図１５Ｂは、図１５Ａに示す発射ユニットの左側面図であって、直動部材が初期位置にある状態を示す。
【図１６】図１６Ａは、図１５Ｂに示す発射ユニットによるボールの発射を説明するための説明図であって、最も前方のボールが発射された状態を示す。図１６Ｂは、図１６Ａに続き、発射ユニットによるボールの発射を説明するための説明図であって、すべてのボールが発射された状態を示す。図１６Ｃは、図１６Ｂに続き、発射ユニットによるボールの発射を説明するための説明図であって、直動部材が終着位置にある状態を示す。
【図１７】図１７Ａは、本発明のリセッタの第３実施形態である発射ユニットを左前方から見た斜視図である。図１７Ｂは、図１７Ａに示す発射ユニットの正面図である。
【図１８】図１８Ａは、図１７Ａに示す発射ユニットの右側面図である。図１８Ｂは、図１７Ａに示す発射ユニットの左側面図であって、ガイドフレームを発射ユニットから除いた状態を示す。
【図１９】図１９Ａは、図１７Ａに示す発射ユニットの左側面図である。図１９Ｂは、図１９Ａに示す１９Ａ−１９Ａ断面図である。
【図２０】図２０Ａは、本発明のリセッタの第４実施形態に係る発射ユニットを左前方から見た斜視図である。図２０Ｂは、図２０Ａに示す発射ユニットの正面図である。
【図２１】図２１Ａは、図２０Ａに示す発射ユニットの右側面図である。図２１Ｂは、図２０Ａに示す発射ユニットの左側面図であって、ガイドフレームを発射ユニットから除いた状態を示す。
【図２２】図２２Ａは、図２０Ａに示す発射ユニットの左側面図である。図２２Ｂは、図２２Ａに示す２２Ｂ−２２Ｂ断面図を示す。
【図２３】図２３Ａは、本発明のプリセッタの第５実施形態に係る発射ユニットを左前方から見た斜視図である。図２３Ｂは、図２３Ａに示す発射ユニットの正面図である。
【図２４】図２４Ａは、図２３Ａに示す発射ユニットによるボールの発射を説明するための左側面図であって、羽根が第１ガイド部と接触する前の状態を示す。図２４Ｂは、図２４Ａに続いて、発射ユニットによるボールの発射を説明するための左側面図であって、羽根が、第１ガイド部と接触し、湾曲状態にある状態を示す。
【図２５】図２５Ａは、図２４Ｂに続いて、発射ユニットによるボールの発射を説明するための左側面図であって、羽根がボールと接触した状態を示す。図２５Ｂは、図２５Ａに続いて、発射ユニットによるボールの発射を説明するための左側面図であって、ボールが発射された状態を示す。
【図２６】図２６Ａは、本発明のリセッタの第６実施形態に係る発射ユニットを左前方から見た斜視図である。図２６Ｂは、図２６Ａに示す発射ユニットの正面図である。
【図２７】図２７Ａは、図２６Ａに示す発射ユニットによるボールの発射を説明するための左側面図であって、ボールが第１ガイド部に供給される前の状態を示す。図２７Ｂは、図２７Ａに続いて、発射ユニットによるボールの発射を説明するための左側面図であって、ボールが第１ガイド部に供給された後の状態を示す。
【図２８】図２８Ａは、本発明のリセッタの変形例に係る発射ユニットを左前方から見た斜視図であって、第２ガイド部がガイド板を備える態様を示す。図２８Ｂは、本発明のリセッタの変形例に係る発射ユニットを左前方から見た斜視図であって、第２ガイド部が１対のポール部材を備える態様を示す。
【図２９】図２９Ａは、本発明のリセッタの変形例に係る発射ユニットを左前方から見た斜視図であって、第２ガイド部が第１傾斜部および第２傾斜部を備える態様を示す。図２９Ｂは、図２９Ａに示す第１傾斜部および第２傾斜部の正断面図である。
【図３０】図３０は、本発明のアダプタの変形例に係る本体部および抵抗付与部材の左側面図である。
【図３１】図３１は、図１に示すドラムカートリッジが装着可能なプリンタの中央断面図を示す。
【発明を実施するための形態】
【００３７】
まず、本発明の第１実施形態について説明する。
１．リセッタの構成
図１〜図１０Ｂを用いて、プリンタリセッタの一例としてのリセッタ３４の構成を説明する。
【００３８】
なお、以下の説明において、リセッタ３４の方向に関し、各図に示した矢印方向を基準とする。例えば、図３中に矢印で示すように、紙面右方を前方とし、紙面左方を後方とする。また、リセッタ３４を前方から見たときを基準としてリセッタ３４の左右を規定する。つまり、上下方向が鉛直方向であり、前後左右方向が水平方向である。
【００３９】
リセッタ３４は、後で詳述するが、プリンタ１をリセットするためのものであって、図２に示すように、フレームの一例としてのリセッタフレーム１８０と、リセッタフレーム１８０の左方に配置される、発射装置の一例としての発射ユニット３９とを備えている。
（１）リセッタフレーム
リセッタフレーム１８０は、１対の側壁３５と、底壁１８８と、前壁１８９とを一体に備えている。１対の側壁３５は、左右方向に互いに間隔を隔てて向かい合っている。底壁１８８は、１対の側壁３５の下端部間を連結している。前壁１８９は、１対の側壁３５の前端部を互いに連結している。
【００４０】
１対の側壁３５のそれぞれは、略板形状であり、前後方向に長い側面視略矩形状である。なお、左方の側壁３５は、第１壁の一例であり、以下の説明において左側壁３５Ｌとする。また、右方の側壁３５は、第２壁の一例であり、以下の説明において右側壁３５Ｒとする。
【００４１】
底壁１８８は、略板形状であり、左右方向に長い平面視矩形状である。前壁１８９は、図４に示すように、側面視略Ｌ字状の板形状であり、底壁１８８の前端部から連続して、上方に向かって延びた後、屈曲して前方に延びている。
【００４２】
また、左側壁３５Ｌは、図５に示すように、入力ギヤ支持軸１８１と、第１アイドルギヤ支持軸１８２と、第２アイドルギヤ支持軸１８３と、第３アイドルギヤ支持軸１８４と、支持軸４０と、第１螺合部１８５と、第２螺合部１８６と、ガイド軸１８７とを備えている。
【００４３】
入力ギヤ支持軸１８１は、左側壁３５Ｌの左面における後端部に配置されている。入力ギヤ支持軸１８１は、略円柱形状であり、左側壁３５Ｌの左面から左方に向かって突出している。
【００４４】
第１アイドルギヤ支持軸１８２は、左側壁３５Ｌの左面において、入力ギヤ支持軸１８１の前上方に配置されている。第１アイドルギヤ支持軸１８２は、略円柱形状であり、左側壁３５Ｌの左面から左方に向かって突出している。
【００４５】
第２アイドルギヤ支持軸１８３は、左側壁３５Ｌの左面において、第１アイドルギヤ支持軸１８２の前下方に配置されている。第２アイドルギヤ支持軸１８３は、略円柱形状であり、左側壁３５Ｌの左面から左方に向かって突出している。
【００４６】
第３アイドルギヤ支持軸１８４は、左側壁３５Ｌの左面において、第２アイドルギヤ支持軸１８３の前上方に配置されている。第３アイドルギヤ支持軸１８４は、略円柱形状であり、左側壁３５Ｌの左面から左方に向かって突出している。
【００４７】
支持軸４０は、左側壁３５Ｌの左面において、第３アイドルギヤ支持軸１８４の前上方に配置されている。支持軸４０は、略円柱形状であり、左側壁３５Ｌの左面から左方に向かって突出している。
【００４８】
第１螺合部１８５は、左側壁３５Ｌの左面において、入力ギヤ支持軸１８１の後上方に配置されている。第１螺合部１８５は、略円筒形状であり、左側壁３５Ｌの左面から左方に向かって突出している。
【００４９】
第２螺合部１８６は、左側壁３５Ｌの左面において、支持軸４０の前上方に配置されている。第２螺合部１８６は、略円筒形状であり、左側壁３５Ｌの左面から左方に向かって突出している。
【００５０】
ガイド軸１８７は、左側壁３５Ｌの左面において、入力ギヤ支持軸１８１の後下方に配置されている。ガイド軸１８７は、略円柱形状であり、左側壁３５Ｌの左面から左方に向かって突出している。
【００５１】
また、前壁１８９は、図２に示すように、取っ手１９０を備えている。取っ手１９０は、前壁１８９の上面における左右方向略中央部分に配置されている。取っ手１９０は、下方に向かって開放される背面視Ｕ字状である。また、取っ手１９０は、下端部のそれぞれが、前壁１８９の左右方向中央部分を跨ぐように、前壁１８９の上面に固定されている。
（２）発射ユニット
発射ユニット３９は、図５に示すように、左側壁３５Ｌの左側面に配置されており、ギヤカバー３７と、ギヤトレイン３８と、移動部材の一例としてのボール供給ギヤ７０と、物体の一例としてのボール７１と、射出部７２とを備えている。
（２−１）ギヤカバー
ギヤカバー３７は、図６Ａおよび図６Ｂに示すように、後部および右部が開放される略ボックス形状である。
【００５２】
ギヤカバー３７は、側面視略矩形の略板形状のカバープレート１３９と、カバー上壁１４０と、カバー底壁１４１と、カバー前壁１４２とを一体に備えている。カバー上壁１４０は、カバープレート１３９の上端部から右方に突出している。カバー底壁１４１は、カバープレート１３９の下端部から右方に突出している。カバー前壁１４２は、カバープレート１３９の前端部から右方に突出し、カバー上壁１４０およびカバー底壁１４１の前端部を連結している。
【００５３】
カバープレート１３９は、カップリング挿通穴４３と、貫通孔４４と、第１ねじ挿通穴１４４とを有している。
【００５４】
カップリング挿通穴４３は、側面視略円形状であり、カバープレート１３９の後端部を、左右方向に貫通している。
【００５５】
貫通孔４４は、側面視略円形状であり、カバープレート１３９の前端部を左右方向に貫通している。貫通孔４４の内径は、後述する円板部７８の外径と略同じである。
【００５６】
第１ねじ挿通穴１４４は、側面視略円形状であり、カップリング挿通穴４３の後上方において、カバープレート１３９を左右方向に貫通している。
【００５７】
また、カバープレート１３９は、カップリングカラー４５と、円周壁４６と、受入部４９と、連結部５０と、カバー固定部１４３とを備えている。
【００５８】
カップリングカラー４５は、略円筒形状であり、カップリング挿通穴４３の周縁から左方に向かって突出している。
【００５９】
円周壁４６は、略円筒形状であり、貫通孔４４の周縁から左方に向かって突出している。円周壁４６の左右方向の寸法は、後述するボール７１の直径よりも大きい。また、円周壁４６は、後述するボール７１の通過を許容する排出口４７および供給口６９を有している。排出口４７は、円周壁４６の前端部を前後方向に貫通している。供給口６９は、円周壁４６の上端部を上下方向に貫通している。
【００６０】
また、受入部４９および連結部５０は、円周壁４６内に配置されている。受入部４９は、円周壁４６内における側面視略中心に配置されている。受入部４９は、左右方向に延びる略円筒形状であり、その左端部が閉鎖されている。連結部５０は、略板形状であり、受入部４９の外周面と、円周壁４６の内周面における左方部分とを、円周壁４６の径方向に沿って連結している。詳しくは、連結部５０は、受入部４９の外周面における前方部分から前下方に向かって延び、円周壁４６の内周面の左方部分における排出口４７の下方に接続されている。
【００６１】
カバー固定部１４３は、カバープレート１３９の左面において、円周壁４６の前下方に配置されている。カバー固定部１４３は、略円筒形状であり、カバープレート１３９の左面から左方に向かって突出している。
【００６２】
カバー前壁１４２は、開口４８を有している。開口４８は、カバー前壁１４２の上下方向略中央部分を、前後方向に貫通しており、排出口４７と左右方向に連通している。また、開口４８は、後述するボール供給ギヤ７０が回転されたときに、突起８２の通過を許容するように構成されている。
【００６３】
また、カバー前壁１４２は、延設部１４５を備えている。延設部１４５は、側面視略矩形の略板形状であり、カバー前壁１４２の右端部における開口４８よりも上方の部分から前方に向かって突出している。また、延設部１４５は、第２ねじ挿通穴１４６を有している。第２ねじ挿通穴１４６は、側面視略円形状であり、延設部１４５の側面視略中央部分を左右方向に貫通している。
【００６４】
そして、ギヤカバー３７は、図２に示すように、ギヤトレイン３８および後述するボール供給ギヤ７０を覆った状態で、左側壁３５Ｌに対して左方から取り付けられている。また、ギヤカバー３７は、図５に示すように、第１ねじ部材１５５が、第１ねじ挿通穴１４４を介して第１螺合部１８５の左端部に螺合され、さらに第２ねじ部材１５６が第２ねじ挿通穴１４６を介して、第２螺合部１８６の左端部に螺合された状態で、左側壁３５Ｌに固定されている。これによって、発射ユニット３９が、左側壁３５Ｌに支持され、後述する入力ギヤ５５のカップリング部６２は、図２に示すように、カップリング挿通穴４３を介して、カップリングカラー４５に挿通された状態で、カップリングカラー４５の左方から露出されている。
（２−２）ギヤトレイン
ギヤトレイン３８は、図５に示すように、駆動入力部の一例としての入力ギヤ５５と、第１アイドルギヤ５８と、第２アイドルギヤ５９と、第３アイドルギヤ６０とを備えている。
【００６５】
入力ギヤ５５は、左右方向に延びる略円筒形状を有し、ギヤ部６１と、ギヤ部６１の左方に配置されるカップリング部６２とを備えている。
【００６６】
ギヤ部６１は、大径ギヤ６３と、大径ギヤ６３の左方に配置される小径ギヤ６４とを備える２段ギヤからなる。大径ギヤ６３および小径ギヤ６４は、それぞれの周面全周にわたって、ギヤ歯を有している。
【００６７】
カップリング部６２は、略円筒形状であって、小径ギヤ６４より小径であり、かつ、ギヤ部６１と中心軸線を共有している。カップリング部６２の内側面は、結合凹部６５を有している。結合凹部６５は、後述する本体カップリング１１０を結合凹部６５に対して相対回転不能に受け入れるように構成されている。
【００６８】
そして、入力ギヤ５５は、入力ギヤ支持軸１８１が右方から相対回転可能に挿入された状態で、左側壁３５Ｌに支持されている。
【００６９】
第１アイドルギヤ５８は、左右方向に延びる略円筒形状であり、小径ギヤ６６と、小径ギヤ６６の左方に配置される大径ギヤ６７とを備える２段ギヤからなる。小径ギヤ６６および大径ギヤ６７は、それぞれの周面全周にわたって、ギヤ歯を有している。
【００７０】
そして、第１アイドルギヤ５８は、第１アイドルギヤ支持軸１８２が右方から相対回転可能に挿入された状態で、左側壁３５Ｌに支持されている。また、第１アイドルギヤ５８の大径ギヤ６７は、図９に示すように、入力ギヤ５５の小径ギヤ６４に対して前方から噛合している。
【００７１】
第２アイドルギヤ５９は、左右方向に延びる略円筒形状である。第２アイドルギヤ５９は、その周面全周にわたって、ギヤ歯を有している。そして、第２アイドルギヤ５９は、第２アイドルギヤ支持軸１８３が右方から相対回転可能に挿入された状態で、左側壁３５Ｌに支持されている。また、第２アイドルギヤ５９は、図１０Ｂに示すように、第１アイドルギヤ５８の小径ギヤ６６に対して下方から噛合している。
【００７２】
第３アイドルギヤ６０は、左右方向に延びる略円筒形状である。第３アイドルギヤ６０は、その周面全周にわたってギヤ歯を有している。そして、第３アイドルギヤ６０は、第３アイドルギヤ支持軸１８４が右方から相対回転可能に挿入された状態で、左側壁３５Ｌに支持されている。また、第３アイドルギヤ６０は、第２アイドルギヤ５９に対して前上方から噛合している。
【００７３】
図９を用いて、入力ギヤ５５に外部から駆動力が入力された際の説明をする。
【００７４】
入力ギヤ５５は、外部からの駆動力が入力されると、左側面視時計方向に回転する。また、入力ギヤ５５の小径ギヤ６４に噛合する第１アイドルギヤ５８の大径ギヤ６７は、左側面視反時計方向に回転し、第１アイドルギヤ５８の小径ギヤ６６に噛合する第２アイドルギヤ５９は、図１０Ｂに示すように、左側面視時計方向に回転し、さらに、第２アイドルギヤ５９に噛合する第３アイドルギヤ６０は、左側面視反時計方向に回転する。
（２−３）ボール供給ギヤ
ボール供給ギヤ７０は、図７Ａおよび図７Ｂに示すように、欠け歯ギヤ部７３と、ボール収容部７４とを備えている。
【００７５】
欠け歯ギヤ部７３は、ボール供給ギヤ７０の右方部分に配置されている。欠け歯ギヤ部７３は、その周面において、図１０Ｂに示すように、約３１５°の中心角を有する部分にギヤ歯を有している。すなわち、欠け歯ギヤ部７３の周面は、ギヤ歯を有する歯部７５と、ギヤ歯を有さない欠け歯部７６とを有している。また、欠け歯ギヤ部７３は、その中央部分に、支持軸４０を受け入れるように構成される第１穴７７を有している。
【００７６】
ボール収容部７４は、図７Ａおよび図７Ｂに示すように、ボール供給ギヤ７０の左方部分に配置されている。ボール収容部７４は、円板部７８と、筒部７９と、区画リブ８３と、突起８２とを備えている。
【００７７】
円板部７８は、左右方向に厚みを有し、欠け歯ギヤ部７３よりも大径な略円板形状を有している。そして、円板部７８は、欠け歯ギヤ部７３と中心軸線を共有するように、ボール供給ギヤ７０の左方に隣接配置されている。また、円板部７８は、その中央部分に、第１穴７７と左右方向に連通する第２穴８１を有している。
【００７８】
筒部７９は、略円筒形状を有し、円板部７８の左端面における第２穴８１の周縁から、左方に向かって突出している。これによって、筒部７９は、円板部７８と中心軸線を共有している。
【００７９】
区画リブ８３は、円板部７８の左面から左方に向かって突出しており、図９に示すように、第１リブ８４と、第２リブ８５と、第３リブ８６とを有している。第１リブ８４は、筒部７９から径方向に延びている。第２リブ８５と第３リブ８６とは、第１リブ８４から連続しており、円板部７８の周縁まで延びている。
【００８０】
第１リブ８４は、筒部７９の周方向において、互いに等間隔を隔てて複数配置されている。具体的には、例えば、４つの第１リブ８４が、互いに略９０°の間隔を隔てて配置されている。第２リブ８５は、対応する第１リブ８４の径方向の外側端部から連続しており、その第１リブ８４の延びる方向に対して、ボール供給ギヤ７０の回転方向Ｒの下流側に略４５°屈曲した後、円板部７８の周縁まで延びている。第３リブ８６は、対応する第１リブ８４の径方向の外側端部から連続しており、その第１リブ８４の延びる方向に対して、ボール供給ギヤ７０の回転方向Ｒの上流側に略４５°屈曲した後、円板部７８の周縁まで延びている。
【００８１】
これによって、筒部７９の周方向において互いに隣り合う第１リブ８４のうち、回転方向Ｒの上流側の第１リブ８４から連続する第２リブ８５と、回転方向Ｒの下流側の第１リブ８４から連続する第３リブ８６とは、互いに平行となるように間隔を隔てて対向配置されている。このように対向配置される第２リブ８５および第３リブ８６の間隔は、ボール７１の直径よりも僅かに広くなっている。
【００８２】
さらに、ボール供給ギヤ７０は、第１受部の一例としてのボール受部８０を備えている。
【００８３】
ボール受部８０は、筒部７９の周方向において互いに隣り合う第１リブ８４、それら第１リブ８４からそれぞれ連続し、互いに対向配置される第２リブ８５および第３リブ８６、１対の第１リブ８４の間に存在する筒部７９の周面の一部、および、１対の第１リブ８４と第２リブ８５および第３リブ８６によって区画された領域に対応する円板部７８の左面により画定されている。
【００８４】
つまり、ボール受部８０は、左右方向から見て、円板部７８の径方向の外方に向かって開放する略Ｕ字状を有している。また、ボール受部８０は、円板部７８の周方向に互いに等間隔を隔てて複数配置されており、円板部７８の中心軸線に対して回転対称となっている。具体的には、ボール受部８０は、円板部７８の中心軸線に対して、９０°回転対称となるように、円板部７８の周方向に互いに略９０°の間隔を隔てて、例えば、４つ配置されている。
【００８５】
突起８２は、円板部７８の周面から円板部７８の周方向の外方に向かって突出しており、側面視略矩形状である。また、突起８２は、４つのボール受部８０のそれぞれに対応して、円板部７８の周方向に互いに略９０°の間隔を隔てて、例えば、４つ配置されている。詳しくは、突起８２は、側面視において各ボール受部８０の第３リブ８６と、円板部７８の径方向に隣り合うように配置されている。
【００８６】
そして、ボール供給ギヤ７０は、図５、図７Ａおよび図７Ｂに示すように、第１穴７７および第２穴８１に支持軸４０が右方から相対回転可能に挿入されるとともに、筒部７９の左端部が受入部４９に右方から相対回転可能に挿入された状態で、ギヤカバー３７および左側壁３５Ｌに支持されている。
【００８７】
また、ボール供給ギヤ７０の突起８２は、図９に示すように、円板部７８の周方向において、後述する進出部材９８の突起１０２と間隔を隔てて配置されている。また、ボール供給ギヤ７０のボール受部８０は、図１０Ａに示すように、カバープレート１３９の貫通孔４４を介して、円周壁４６内に配置されている。
【００８８】
また、ボール供給ギヤ７０は、図１０Ｂに示すように、欠け歯ギヤ部７３の歯部７５であって、欠け歯部７６に対して回転方向Ｒの上流側に配置される歯部７５が第３アイドルギヤ６０に対して前方から噛合する初期位置に配置されている。
【００８９】
これによって、後述する本体カップリング１１０からの駆動力がギヤトレイン３８を介してボール供給ギヤ７０に入力されると、ボール供給ギヤ７０は、支持軸４０の中心軸線Ａ３を回転中心として、矢印で示す回転方向Ｒすなわち左側面視反時計方向に回転される。つまり、ボール供給ギヤ７０は、入力ギヤ５５から駆動力が伝達されるように、第１アイドルギヤ５８、第２アイドルギヤ５９および第３アイドルギヤ６０を介して、入力ギヤ５５と連結されている。
（２−４）ボール
ボール７１は、図１０Ａに示すように、樹脂材料などからなり略球状である。そして、ボール７１は、複数のボール受部８０のそれぞれに対応して複数備えられている。ボール７１は、各ボール受部８０に１つずつ収容されるため、ボール収容部７４に、例えば、合計４つ保持されている。なお、このようなボール７１の個数は、リセッタ３４が対応する現像カートリッジ１２の情報、たとえば、現像カートリッジ１２の内部に収容されているトナー容量、トナー色などの情報に対応している。
（２−５）射出部
射出部７２は、図５に示すように、ガイドフレーム９０と、力付与部材の一例としての付勢ユニット９１と、ガイドカバー９２とを備えている。
【００９０】
ガイドフレーム９０は、ガイド部９３と、固定部９４とを備えている。
【００９１】
ガイド部９３は、左右方向に切断したときの断面形状が左方に向かって開放されるＵ字状であり、上下方向に延びた後、屈曲してさらに左上方に延びている。具体的には、ガイド部９３は、第２受部の一例としての第１ガイド部９５と、第２ガイド部９６とを備えている。
【００９２】
第１ガイド部９５は、ガイド部９３の下方部分を構成している。第１ガイド部９５は、凹形状を有し、左方に向かって開放され、上下方向に延びている。また、第１ガイド部９５の下端部は、底壁により閉鎖されている。
【００９３】
また、第１ガイド部９５は、図８Ａに示すように、受入口９７と、挿通口８８とを有している。受入口９７は、ボール７１を受け入れるように構成されている。挿通口８８は、進出部材９８の延長部１０１が挿通されるように構成されている。
【００９４】
受入口９７は、第１ガイド部９５の後壁の上端部を前後方向に貫通している。受入口９７は、ボール７１の通過を許容する形状およびサイズを有している。
【００９５】
挿通口８８は、後述する進出部材９８の突起１０２に対応しており、第１ガイド部９５の右壁の後端部を左右方向に貫通している。挿通口８８は、上下方向に長い側面視略矩形状である。
【００９６】
第２ガイド部９６は、図５に示すように、ガイド部９３の上方部分を構成している。第２ガイド部９６は、凹形状を有し、左下方に向かって開放されている。また、第２ガイド部９６は、図１４に示すように、第１ガイド部９５の上端部から連続しており、上方に向かうにつれて左方に傾斜している。この構成により、第２ガイド部９６の上端部は、左右方向において、第１ガイド部９５の下端部よりも、左側壁３５Ｌから離れるように配置されている。また、第２ガイド部９６の上端部は、筐体１６の上端よりも上方に配置されている。
【００９７】
また、第１ガイド部９５が延びる第１ガイド方向Ｘと、第２ガイド部９６が延びる第２ガイド方向Ｙとが成す角θの角度は、例えば、０°よりも大きく、例えば、１８０°以下、好ましくは、９０°以下、より好ましくは、４５°に設定されている。なお、第１ガイド部９５の延びる第１ガイド方向Ｘとは、具体的には、下方から上方に向かう方向であり、第２ガイド部９６の延びる第２ガイド方向Ｙとは、具体的には右下方から左上方に向かう方向のことを指す。
【００９８】
固定部９４は、図８Ａに示すように、第１ガイド部９５の後壁における左方部分から、後方に向かって突出しており、側面視略矩形の板形状を有している。また、固定部９４は、嵌合穴１５４を有している。嵌合穴１５４は、側面視略円形状であり、固定部９４の側面視略中央部分を左右方向に貫通している。また、嵌合穴１５４の内径は、カバー固定部１４３の外径と略同じである。
【００９９】
そして、ガイドフレーム９０は、図５および図１０Ａに示されるように、受入口９７が排出口４７の前方に配置されるとともに、嵌合穴１５４にカバー固定部１４３の左端部が嵌合した状態で、ギヤカバー３７に組み付けられている。これによって、ガイド部９３は、ギヤカバー３７の円周壁４６の前方かつ延設部１４５の左方に配置され、受入口９７と排出口４７とは、前後方向に連通している。
【０１００】
付勢ユニット９１は、第１ガイド部９５内に収容されており、図５に示すように、供給部材の一例としての進出部材９８と、弾性部材の一例としてのばね部材９９とを備えている。
【０１０１】
進出部材９８は、図８Ｂに示すように、台座部１００と、供給規制部の一例としての延長部１０１と、突起１０２とを備えている。
【０１０２】
台座部１００は、下方に向かって開放される側面視略Ｕ字形状であり、上面が左右方向に延びている。
【０１０３】
延長部１０１は、台座部１００の上面の後端部から上方に向かって突出し、左右方向に延びる略板形状を有している。また、延長部１０１の右端部は、台座部１００の右端縁よりも右方に向かって突出している。
【０１０４】
突起１０２は、延長部１０１の後面の右端部から、後方に向かって突出しており、側面視略矩形状を有している。つまり、突起１０２は、左右方向に延びる略角柱形状を有している。
【０１０５】
そして、進出部材９８は、図９に示すように、突起１０２が挿通口８８に挿通された状態で、第１ガイド部９５内に収容されている。また、突起１０２は、挿通口８８を介して、第１ガイド部９５の右壁よりも右方に突出している。これによって、進出部材９８は、上下方向に進退自在となるように、ガイド部９３に支持されている。
【０１０６】
ばね部材９９は、上下方向に伸長可能な空心コイル状からなる。そして、ばね部材９９は、進出部材９８の上壁と第１ガイド部９５の底壁との間に挟まれた状態で、第１ガイド部９５に収容されている。
【０１０７】
これによって、進出部材９８は、常には、上方に向かって付勢されており、延長部１０１の上端部が受入口９７の上縁に下方から接触し、延長部１０１が排出口４７および受入口９７を閉鎖する閉鎖位置に配置されている。なお、ばね部材９９は、進出部材９８が閉鎖位置にある状態において、第２状態の一例としての伸張状態にある。
【０１０８】
ガイドカバー９２は、図５に示すように、透明な樹脂材料などからなる。ガイドカバー９２は、図３に示すように、側面視において、略板形状を有し、円周壁４６およびガイドフレーム９０を左方から覆っている。
【０１０９】
具体的には、ガイドカバー９２は、第１部分１０３と、第２部分１０４と、第３部分１０５とを一体に備えている。第１部分１０３は、第１ガイド部９５および固定部９４を被覆するように構成されている。第２部分１０４は、第２ガイド部９６を被覆するように構成されている。第３部分１０５は、円周壁４６を被覆するように構成されている。
【０１１０】
第１部分１０３は、側面視略矩形状である。また、第１部分１０３は、図５に示すように、第３ねじ挿通穴１５３を有している。第３ねじ挿通穴１５３は、側面視略円形状であり、第１部分１０３の後下方部分を左右方向に貫通している。
【０１１１】
第２部分１０４は、第１部分１０３の前方部分の上端から連続しており、第２ガイド部９６の傾斜に沿うように、上方に向かうにつれて左方に傾斜している。第２部分１０４は、略板形状を有している。
【０１１２】
第３部分１０５は、図３に示すように、第１部分１０３の後上方部分から、後上方に向かって膨出しており、側面視略３／４円弧形状を有している。また、第３部分１０５の略中央部分は、受入部４９の左端部が挿入される挿入穴１０６を有している。
【０１１３】
そして、ガイドカバー９２は、挿入穴１０６に受入部４９の左端部が挿入され、かつ、第３ねじ挿通穴１５３を介して、カバー固定部１４３が左方から露出する状態で、ギヤカバー３７およびガイドフレーム９０の左方に配置されている。
【０１１４】
また、ねじ１５７が、ガイドカバー９２の第３ねじ挿通穴１５３およびガイドフレーム９０の嵌合穴１５４を介して、カバー固定部１４３に螺合されている。これによって、ガイドカバー９２およびガイドフレーム９０は、ギヤカバー３７に固定されている。
【０１１５】
これによって、第２ガイド部９６の上端部および第２部分１０４の上端部が、図２に示すように、発射開口１０７を画定している。
【０１１６】
発射開口１０７と第２ガイド部９６の上端部とは、図３に示すように、左右方向に投影したときに、筐体１６の投影面の外形の外側に配置されている。
【０１１７】
また、図１０Ａに示すように、ボール供給ギヤ７０のボール受部８０と、ギヤカバー３７の円周壁４６と、ガイドカバー９２の第３部分１０５とが、複数のボール７１を収容する収容部として機能する。
【０１１８】
このようなリセッタ３４は、現像カートリッジ１２に対応しており、対応する現像カートリッジ１２の情報を有している。また、リセッタ３４は、通常、新品の現像カートリッジ１２とパッケージ化され、カートリッジ交換セットとして出荷される。
（３）リセッタによるボールの発射動作
次に、リセッタ３４によるボール７１の発射動作について説明する。
【０１１９】
入力ギヤ５５に外部からの駆動力が入力されると、図９に示すように、入力ギヤ５５は、第１アイドルギヤ５８、第２アイドルギヤ５９および第３アイドルギヤ６０に駆動力を伝達する。そして、第３アイドルギヤ６０に入力された駆動力により、ボール供給ギヤ７０が、初期位置から回転方向Ｒに回転する。
【０１２０】
そうすると、突起８２が、図１１Ａに示すように、ボール供給ギヤ７０の回転に伴って、突起１０２に上方から当接し、突起１０２を下方に向かって押圧する。なお、図１０〜図１３においては、説明の便宜上、ガイドカバー９２が省略されている。
【０１２１】
これにより、進出部材９８は、図１１Ｂおよび図１２Ａに示すように、ばね部材９９の付勢力に抗して、閉鎖位置から下方に向かって移動され、延長部１０１が排出口４７および受入口９７を開放する開放位置に配置される。このとき、ばね部材９９は、伸張状態から下方に向かって収縮され、最も大きな弾性エネルギーを蓄積する第１状態の一例としての収縮状態に弾性変形される。
【０１２２】
これにより、複数のボール受部８０のうちの一つが、前下方に向かって開放するように位置し、排出口４７および受入口９７を介して、第１ガイド部９５内と連通される。そうすると、ボール受部８０に収容されているボール７１は、第３リブ８６の傾斜に沿って、矢印で示す第２方向の一例としての供給方向Ｓ、すなわち後上方から前下方に向かう方向に移動する。このとき、ボール７１は、その左端部が連結部５０の上面に当接する。これによって、連結部５０は、供給方向Ｓに沿って排出口４７に向かう、ボール７１の移動をガイドする。
【０１２３】
そうすると、ボール７１は、排出口４７および受入口９７を介して、第１ガイド部９５内に供給される。つまり、排出口４７は、複数のボール７１のうちの一つを付勢ユニット９１に向けて排出する。
【０１２４】
そして、ボール７１は、図１２Ａに示すように、第１ガイド部９５内に受け入れられ、台座部１００の上方に載った状態となる。これにより、ボール７１は、ばね部材９９がその付勢力を台座部１００を介してボール７１に付与する力付与位置に配置される。つまり、進出部材９８は、ボール供給ギヤ７０に伝達される駆動力により、ボール受部８０に収容されているボール７１を、ボール受部８０から第１ガイド部９５に移動させ、力付与位置に供給する。
【０１２５】
そして、図１２Ｂに示すように、さらにボール供給ギヤ７０が回転すると、突起８２と突起１０２との当接が解除される。そうすると、ばね部材９９は、収縮状態から、蓄積された弾性エネルギーを解放するように、上方に向かって伸張し、第２状態の一例としての伸張状態に弾性変形される。これにより、進出部材９８は、上方に向かって、開放位置から閉鎖位置に向かって移動する。つまり、進出部材９８の延長部１０１は、ボール７１の供給またはボール７１の供給停止に伴って、排出口４７を開閉する。
【０１２６】
このとき、力付与位置にあるボール７１は、図１４に示すように、ばね部材９９により、台座部１００を介して、矢印で示す第１方向の一例としての付勢方向Ｂ、すなわち下方から上方に向かう方向に付勢される。これにより、ボール７１は、台座部１００から離間するように上方に向かって飛ばされる。つまり、付勢ユニット９１は、収縮状態にあるばね部材９９が、ボール供給ギヤ７０に伝達される駆動力により、伸張状態に弾性変形することによって、力付与位置にあるボール７１に発射のための力を付与する。
【０１２７】
つまり、付勢ユニット９１は、入力ギヤ５５が受ける駆動力により、ばね部材９９が収縮状態から伸張状態に弾性変形することによって、第１ガイド部９５内に位置するボール７１に、発射するための力を付与するように構成されている。また、付勢方向Ｂと供給方向Ｓとは異なる方向である。
【０１２８】
そして、ボール７１は、第１ガイド部９５により、第１ガイド方向Ｘに沿ってガイドされ、上方に向かって移動される。なお、本実施形態において、第１ガイド方向Ｘと付勢方向Ｂとは、同一方向である。つまり、第１ガイド部９５は、付勢ユニット９１により飛ばされたボール７１が付勢方向Ｂに沿って移動するように、ボール７１をガイドする。
【０１２９】
続いて、ボール７１は、第１ガイド部９５と第２ガイド部９６との接続部分に到達する。そうすると、ボール７１は、第１ガイド部９５と第２ガイド部９６との接続部分にガイドされ、ボール７１の移動方向が付勢方向Ｂに沿う方向から、矢印で示す排出方向Ｄ、すなわち右下方から左上方に向かう方向に変更される。なお、本実施形態において、第２ガイド方向Ｙと排出方向Ｄとは、同一方向である。
【０１３０】
そして、ボール７１は、第２ガイド部９６に到達し、第２ガイド部９６により、第２ガイド方向Ｙに沿ってガイドされ、左側壁３５Ｌから離れるように左上方に向かって移動される。つまり、第２ガイド部９６は、ボール７１を、付勢方向Ｂとは異なる排出方向Ｄに移動するようにガイドする。
【０１３１】
そして、第２ガイド部９６にガイドされたボール７１は、発射開口１０７に到達し、発射開口１０７から発射ユニット３９外に発射される。
【０１３２】
続いて、図１１〜図１３に示すように、ボール供給ギヤ７０がさらに回転することにより、上記と同様にして、複数のボール７１が順次、発射ユニット３９から発射される。
【０１３３】
そして、すべてのボール７１が発射ユニット３９から発射されると、図１３Ｂに示すように、欠け歯ギヤ部７３の歯部７５と第３アイドルギヤ６０のギヤ歯との噛合が解除されて、ボール供給ギヤ７０が、欠け歯ギヤ部７３の欠け歯部７６が第３アイドルギヤ６０のギヤ歯に対向する終着位置に配置される。これにより、ボール供給ギヤ７０の回転が停止する。
【０１３４】
つまり、発射ユニット３９による全てのボール７１の発射が終了した後において、ボール供給ギヤ７０は、入力ギヤ５５との連結が解除され、ボール供給ギヤ７０の回転が停止される。
【０１３５】
以上によって、リセッタ３４によるボール７１の発射が完了する。
（４）リセッタの再利用
このようなリセッタ３４は、再利用できる。リセッタ３４は、再利用される前に、ボール供給ギヤ７０が、終着位置から回転され、再度、初期位置に位置される。また、ボール供給ギヤ７０が終着位置から初期位置までの間を移動される際に、ボール７１が、供給口６９を介して、ボール受部８０に適宜供給される。例えば、ボール７１が、各ボール受部８０に１つずつ供給される。
【０１３６】
これによって、リセッタ３４が、図１０Ａに示すように、発射ユニット３９がボール７１を発射する前の状態となる。つまり、リセッタ３４は、複数回再利用することができる。
【０１３７】
なお、第１実施形態において、プリンタ１が印刷装置の一例であり、リセッタ３４がリセッタの一例である。また、発射ユニット３９が発射装置の一例であり、入力ギヤ５５が駆動入力部の一例である。また、排出口４７が排出口の一例であり、ボール供給ギヤ７０が移動部材の一例であり、ボール７１が物体の一例であり、ボール受部８０が第１受部の一例である。また、付勢ユニット９１が力付与部材の一例であり、ガイド部９３がガイド部の一例であり、第１ガイド部９５が第１ガイド部および第２受部の一例であり、第２ガイド部９６が第２ガイド部の一例である。また、進出部材９８が供給部材の一例であり、延長部１０１が供給規制部の一例であり、ばね部材９９が弾性部材の一例である。また、付勢方向Ｂが第１方向の一例であり、供給方向Ｓが第２方向の一例である。また、第１ガイド方向Ｘが第１ガイド部の延びる方向の一例であり、第２ガイド方向Ｙが第２ガイド部の延びる方向の一例であり、角θが第１ガイド部の延びる方向と第２ガイド部の延びる方向とが形成する角の一例である。また、円周壁４６、ボール受部８０および第３部分１０５が、収容部の一例である。
２．第２実施形態
次に、本発明の第２実施形態について説明する。
【０１３８】
図１５Ａ〜図１６Ｃにおいて、図１〜図１４に示す各部に対応する部分には、それらの各部と同一の参照符号を付し、その説明を省略する。
【０１３９】
第１実施形態において、リセッタ３４は、図２に示すように、発射ユニット３９を備えているが、これに代えて、本発明の第２実施形態であるリセッタ３４は、図１５Ａに示すように、発射装置の一例としての発射ユニット２３０を備えている。
【０１４０】
発射ユニット２３０は、ガイドフレーム２３１と、収容部の一例としての直動部材２３２と、ボール７１と、第３アイドルギヤ２３３とを備えている。
【０１４１】
ガイドフレーム２３１は、ガイド部２３４と、第１壁２３５と、第２壁２４１とを備えている。
【０１４２】
ガイド部２３４は、左右方向に切断したときの断面形状が左方に向かって開放されるＵ字状を有しており、上下方向に延びた後、屈曲して左上方に延びている。具体的には、ガイド部２３４は、第１ガイド部２３６と、第２ガイド部２３７とを備えている。
【０１４３】
第１ガイド部２３６は、ガイド部２３４の下方部分を構成しており、凹形状を有している。第１ガイド部２３６は、左方に向かって開放されており、上下方向に延びている。なお、第１ガイド部２３６の下端部は、開放されている。第２ガイド部２３７は、ガイド部２３４の上方部分を構成しており、凹形状を有している。第２ガイド部２３７は、左下方に向かって開放されている。第２ガイド部２３７は、第１ガイド部２３６の上端部から連続して延びており、上方に向かうにつれて、左方に傾斜している。
【０１４４】
第１壁２３５は、略板形状を有し、第１ガイド部２３６の後壁の下端部から連続して後方に向かって延びている。第２壁２４１は、略板形状を有し、第１ガイド部２３６の前壁における下端部から連続して前方に向かって延びている。
【０１４５】
直動部材２３２は、前後方向に延びる略棒状であり、ラックギヤ部２３９と、ボール収容溝２３８とを有している。
【０１４６】
ラックギヤ部２３９は、直動部材２３２の下面に配置されている。
【０１４７】
ボール収容溝２３８は、複数のボール７１に対応して複数、例えば、４つ設けられ、前後方向に互いに等間隔を隔てて配置されている。ボール収容溝２３８は、直動部材２３２の上面から下方に向かって、凹む凹部であり、側面視略矩形状である。
【０１４８】
各ボール収容溝２３８は、その内部空間に、力付与部材および弾性部材の一例としての圧縮ばね２４０と、ボール７１とを収容している。
【０１４９】
圧縮ばね２４０は、上下方向に伸縮可能な空心コイルからなり、その下端部がボール収容溝２３８の底壁に固定されている。ボール７１は、圧縮ばね２４０の上方に配置された状態で、ボール収容溝２３８内にそれぞれ収容されている。これによって、ボール７１は、常には、対応する圧縮ばね２４０により上方に向かって付勢されている。
【０１５０】
そして、直動部材２３２は、図１５Ｂに示すように、第１壁２３５の下方であり、ラックギヤ部２３９の前端部が第３アイドルギヤ２３３の小径ギヤ２４２に噛合する初期位置に位置されている。
【０１５１】
また、直動部材２３２が初期位置に位置されている状態において、複数のボール７１は、第１壁２３５の下面に接触している。これによって、ボール７１は、圧縮ばね２４０の付勢力に抗して下方に押圧され、圧縮ばね２４０は、最も大きな弾性エネルギーを蓄積する第１状態の一例としての収縮状態に弾性変形されている。
【０１５２】
第３アイドルギヤ２３３は、第３アイドルギヤ支持軸１８４の左端部に相対回転不能に取り付けられている。第３アイドルギヤ２３３は、大径ギヤ２４３と、大径ギヤ２４３の左方に配置される小径ギヤ２４２とを一体に備える２段ギヤからなる。大径ギヤ２４３および小径ギヤ２４２は、それらの周面全周にわたって、ギヤ歯を有している。そして、第３アイドルギヤ２３３の大径ギヤ２４３は、図示しないが、第２アイドルギヤ５９に対して前上方から噛合されている（図１０参照）。また、第３アイドルギヤ２３３の小径ギヤ２４２は、ラックギヤ部２３９の前端部に下方から噛合されている。
【０１５３】
そして、入力ギヤ５５に外部からの駆動力が入力されると、その駆動力が、各種ギヤを介して、第３アイドルギヤ２３３の大径ギヤ２４３に伝達される。そうすると、第３アイドルギヤ２３３は、第３アイドルギヤ支持軸１８４の中心軸線を回転中心として、左側面視時計方向に回転される。
【０１５４】
これにより、直動部材２３２が、第３アイドルギヤ２３３の回転に伴って、初期位置から前方に向かって移動される。これにより、複数のボール７１は、第１壁２３５の下面と摺擦されながら、前方に向かって移動される。
【０１５５】
そして、最も前方のボール７１が、図１６Ａに示すように、第１ガイド部２３６の下方に到達すると、第１壁２３５とボール７１との接触が解除される。このとき、圧縮ばね２４０は、収縮状態から、蓄積された弾性エネルギーを解放するように上方に向かって伸張し、伸張状態に弾性変形される。
【０１５６】
そうすると、ボール７１は、圧縮ばね２４０により付勢され、上方に向かって飛ばされる。飛ばされたボール７１は、第１ガイド部２３６にガイドされることにより、上方に向かって移動する。その後、ボール７１は、第２ガイド部２３７に到達し、第２ガイド部２３７にガイドされることにより、その移動方向が変更され、左上方に向かって移動する。そして、ボール７１は、第２ガイド部２３７の上端部から発射ユニット２３０の外に発射される。
【０１５７】
続いて、図１６Ｂおよび図１６Ｃに示すように、第３アイドルギヤ２３３がさらに回転し、直動部材２３２が前方へさらに移動されると、複数のボール７１のそれぞれが、順次、第１ガイド部２３６の下方に到達する。これにより、上記と同様の発射動作が繰り返されることによって、複数のボール７１が順次、発射ユニット２３０から発射される。
【０１５８】
そして、直動部材２３２は、図１６Ｃに示すように、すべてのボール７１が発射ユニット２３０から発射された後、ラックギヤ部２３９と第３アイドルギヤ２３３の小径ギヤ２４２との噛合が解除される終着位置に位置される。これにより、直動部材２３２の移動が終了する。
３．第３実施形態
次に、本発明の第３実施形態について説明する。
【０１５９】
図１７Ａ〜図１９Ｂにおいて、図１〜図１６Ｃに示す各部に対応する部分には、それらの各部と同一の参照符号を付し、その説明を省略する。
【０１６０】
本発明の第３実施形態であるリセッタ３４は、図１７Ａに示すように、発射装置の一例としての発射ユニット２４９を備えている。
【０１６１】
発射ユニット２４９は、リボルバーユニット２５１と、ボール７１と、第３アイドルギヤ２３３とを備えている。
【０１６２】
リボルバーユニット２５１は、ガイドフレーム２５０と、リボルバー部２６３とを備えている。
【０１６３】
ガイドフレーム２５０は、本体プレート２５２と、ガイド部２５３とを備えている。
【０１６４】
本体プレート２５２は、側面視略矩形の略板形状を有しており、図１７Ａおよび図１７Ｂに示すように、軸支持穴２５４と、ボール通過口２５５とを有している。
【０１６５】
軸支持穴２５４は、図１７Ａに示すように、側面視略円形状を有し、本体プレート２５２の略中央部分を左右方向に貫通している。ボール通過口２５５は、図１９Ｂに示すように、本体プレート２５２における軸支持穴２５４の上方において、本体プレート２５２を左右方向に貫通している。また、ボール通過口２５５は、後で詳述するが、リボルバー部２６３が回転されたときに、後述するボール収容凹部２６１と対向する位置に配置されている。また、ボール通過口２５５は、ボール７１の通過を許容する形状およびサイズを有している。
【０１６６】
ガイド部２５３は、図１７Ａに示すように、略角筒形状を有している。ガイド部２５３は、左右方向に延びた後、屈曲しさらに左上方に延びている。具体的には、ガイド部２５３は、第１ガイド部２５６と、第２ガイド部２５７とを備えている。
【０１６７】
第１ガイド部２５６は、図１９Ｂに示すように、略角筒形状を有し、本体プレート２５２のボール通過口２５５の周縁から左方に向かって突出している。第２ガイド部２５７は、略角筒形状を有し、第１ガイド部２５６の左端部から連続しており、左方に向かうにつれて上方に傾斜している。
【０１６８】
リボルバー部２６３は、図１７Ａに示すように、左右方向に延びる略円柱形状の軸部２５８と、ボール収容部２５９と、ギヤ部２６０とを備えている。
【０１６９】
ボール収容部２５９は、左右方向に延びる略円柱形状を有している。そして、ボール収容部２５９は、軸部２５８と中心軸線を共有するとともに、軸部２５８の左端部が露出するように、軸部２５８に相対回転不能に取り付けられている。
【０１７０】
ボール収容部２５９は、図１８Ｂに示すように、ボール収容凹部２６１を有している。ボール収容凹部２６１は、複数のボール７１に対応して複数、例えば、４つ配置されており、ボール収容部２５９の周方向において、互いに略９０°の間隔を隔てて配置されている。ボール収容凹部２６１は、図１９Ｂに示すように、ボール収容部２５９の左面から右方に向かって、凹んでおり、側面視略矩形状を有している。
【０１７１】
各ボール収容凹部２６１は、その内部空間に、力付与部材の一例としての圧縮ばね２６２と、ボール７１とを収容している。
【０１７２】
圧縮ばね２６２は、左右方向に伸縮可能な空心コイル状からなり、その右端部がボール収容凹部２６１の右壁に固定されている。ボール７１は、圧縮ばね２６２の左方に配置されるように、対応するボール収容凹部２６１にそれぞれ収容されている。これによって、ボール７１は、常には、対応する圧縮ばね２６２により左方に向かって付勢されている。
【０１７３】
ギヤ部２６０は、図１８Ａに示すように、ボール収容部２５９よりも小径な略円板形状を有している。ギヤ部２６０は、その周面全周にわたってギヤ歯を有している。そして、ギヤ部２６０は、軸部２５８と中心軸線を共有するとともに、ボール収容部２５９の右方に隣接されるように、軸部２５８の右端部に相対回転不能に取り付けられている。
【０１７４】
そして、リボルバー部２６３は、図１９Ａおよび図１９Ｂに示すように、軸部２５８の左端部が本体プレート２５２の軸支持穴２５４に右方から相対回転可能に挿通されるように、本体プレート２５２の右方に配置されている。
【０１７５】
これによって、ボール７１は、本体プレート２５２の右面に接触している。これによって、ボール７１は、圧縮ばね２６２の付勢力に抗して右方に押圧されており、圧縮ばね２６２は、最も大きな弾性エネルギーを蓄積する第１状態の一例としての収縮状態に弾性変形されている。
【０１７６】
そして、リボルバーユニット２５１は、図１７Ｂに示すように、ギヤ部２６０が第３アイドルギヤ２３３の小径ギヤ２４２に前上方から噛合されるように、第３アイドルギヤ２３３の前上方に配置されている。
【０１７７】
これにより、図１８Ｂに示すように、入力ギヤ５５に外部からの駆動力が入力され、第３アイドルギヤ２３３が図１８Ｂにおいて時計方向に回転されると、リボルバー部２６３は、第３アイドルギヤ２３３の回転に伴って、矢印で示す回転方向Ｒすなわち図１８Ｂにおいて反時計方向に回転される。
【０１７８】
そうすると、図１９Ｂに示すように、複数のボール７１のうちの１つが、ボール通過口２５５の右方に到達し、ボール通過口２５５と左右方向に対向する。これにより、本体プレート２５２とボール７１との接触が解除される。
【０１７９】
このとき、圧縮ばね２６２は、収縮状態から、蓄積された弾性エネルギーを解放するように左方に向かって伸張し、伸張状態に弾性変形される。
【０１８０】
そうすると、ボール７１は、圧縮ばね２６２により押し出され、左方に向かって飛ばされる。そして、ボール７１は、第１ガイド部２５６にガイドされることにより、左方に向かって移動し、その後、第２ガイド部２５７に到達する。ボール７１は、第２ガイド部２５７に到達すると、さらに第２ガイド部２５７にガイドされることにより、その移動方向が変更されて、左上方に向かって移動し、第２ガイド部２５７の上端部から発射ユニット２４９の外に発射される。
【０１８１】
続いて、第３アイドルギヤ２３３の回転により、リボルバー部２６３がさらに回転されると、複数のボール７１のそれぞれが、順次、ボール通過口２５５の位置に到達する。これにより、上記と同様の発射動作が繰り返され、複数のボール７１が順次、発射ユニット２４９から発射される。
４．第４実施形態
次に、本発明の第４実施形態について説明する。
【０１８２】
図２０Ａ〜図２２Ｂにおいて、図１〜図１９Ｂに示す各部に対応する部分には、それらの各部と同一の参照符号を付し、その説明を省略する。
【０１８３】
本発明の第４実施形態であるリセッタ３４は、図２０Ａに示すように、発射装置の一例としての発射ユニット２６６を備えている。
【０１８４】
発射ユニット２６６は、リボルバーユニット２６７と、ボール７１と、第３アイドルギヤ２３３とを備えている。
【０１８５】
リボルバーユニット２６７は、ガイドフレーム２５０と、リボルバー部２６８とを備えている。
【０１８６】
リボルバー部２６８は、図２２Ａおよび図２２Ｂに示すように、軸部２５８と、ボール収容部２５９と、ギヤ部２６９と、力付与部材の一例としてのばねユニット２７０とを備えている。
【０１８７】
ボール収容部２５９は、図２２Ｂに示すように、穴２７１と、テーパ面２７３と、規制面２７２とを有している。
【０１８８】
穴２７１は、図２１Ａに示すように、４つのボール収容凹部２６１のそれぞれに対応して、ボール収容部２５９の周方向において、互いに略９０°の間隔を隔てて４つ配置されている。
【０１８９】
穴２７１は、図２２Ｂに示すように、側面視略円形状を有し、ボール収容凹部２６１と連通するように、ボール収容凹部２６１の右壁を左右方向に貫通している。
【０１９０】
テーパ面２７３は、４つのボール収容凹部２６１のそれぞれに対応して設けられている。テーパ面２７３は、ボール収容部２５９の右面におけるボール収容凹部２６１に対応する部分から左方に向かって凹んでおり、側面視湾曲形状を有している。これにより、テーパ面２７３は、図２１Ａに示すように、ボール収容部２５９の周方向において、互いに略９０°の間隔を隔てて４つ配置されている。また、穴２７１は、テーパ面２７３におけるボール収容部２５９の周方向の略中央部分に配置されている。
【０１９１】
規制面２７２は、ボール収容部２５９の右面において、ボール収容部２５９の周方向に互いに隣り合うテーパ面２７３の間に画定されており、図２２Ｂに示すように、上下方向に延びている。
【０１９２】
ギヤ部２６９は、図２１Ａに示すように、ボール収容部２５９の右面から右方に向かって突出しており、ボール収容部２５９と中心軸線を共有する略円筒形状を有している。
【０１９３】
また、ギヤ部２６９の外径は、ボール収容部２５９の外径よりも小径である。また、ギヤ部２６９の内径は、側面視においてすべての穴２７１が径方向の内側に配置可能な大きさを有している。ギヤ部２６９は、その周面全周にわたって、ギヤ歯を有している。
【０１９４】
ばねユニット２７０は、ギヤ部２６９内の上部に配置されており、図２２Ｂに示すように、左右方向に投影したときにボール通過口２５５と重なるように、ボール通過口２５５の右方に間隔を隔てて配置されている。ばねユニット２７０は、ばね支持フレーム２７７と、先端部２７５と、弾性部材の一例としてのばね２７６とを備えている。
【０１９５】
ばね支持フレーム２７７は、左右方向に延び、右端部が閉鎖される略円筒形状を有している。ばね２７６は、ばね支持フレーム２７７内に収容されており、左右方向に伸縮可能な空心コイル状からなる。また、ばね２７６の右端部は、ばね支持フレーム２７７の右端部に固定されている。
【０１９６】
先端部２７５は、左右方向に延び、略円柱形状を有している。また、先端部２７５は、ばね２７６の左端部に固定されている。これによって、先端部２７５は、常には、ばね２７６により左方に向かって付勢されている。
【０１９７】
そして、リボルバーユニット２６７は、図２０Ｂに示すように、ギヤ部２６９が第３アイドルギヤ２３３の小径ギヤ２４２に前上方から噛合されるように、第３アイドルギヤ２３３の前上方に配置されている。
【０１９８】
これにより、図２１Ｂに示すように、入力ギヤ５５に駆動力が入力されて、第３アイドルギヤ２３３が図２１Ｂにおいて時計方向に回転されると、リボルバー部２６８は、第３アイドルギヤ２３３の回転に伴って、矢印で示す回転方向Ｒすなわち図２１Ｂにおいて反時計方向に回転される。
【０１９９】
このとき、ばねユニット２７０の先端部２７５は、図２２Ｂに示すように、ボール収容部２５９の規制面２７２に摺擦される。そのため、先端部２７５は、規制面２７２に右方に向かって押圧され、ばね２７６の付勢力に抗して右方に移動される。これにより、ばね２７６は、最も大きな弾性エネルギーを蓄積する第１状態の一例としての収縮状態に弾性変形される。
【０２００】
そして、さらにリボルバー部２６８が回転されると、複数のボール収容凹部２６１の１つが、ボール通過口２５５の右方に到達する。これによって、対応する穴２７１が、ばねユニット２７０の先端部２７５の左方に到達する。そうすると、ばね２７６は、収縮状態から、蓄積された弾性エネルギーを解放するように左方に向かって伸張し、伸張状態に弾性変形される。
【０２０１】
これにより、先端部２７５は、穴２７１を介して、ボール収容凹部２６１内に収容されているボール７１に対して、右方から勢いよく当接する。そうすると、ボール７１は、先端部２７５により弾き出され、左方に向かって飛ばされる。そして、ボール７１は、第１ガイド部２５６にガイドされることにより、左方に向かって移動し、その後、第２ガイド部２５７に到達する。そして、第２ガイド部２５７にガイドされることにより、ボール７１は、その移動方向が変更されて、左上方に向かって移動する。これにより、ボール７１は、第２ガイド部２５７の上端部から発射ユニット２６６の外に発射される。
【０２０２】
続いて、リボルバー部２６８がさらに回転されると、ばねユニット２７０の先端部２７５は、テーパ面２７３に接触する。さらに、ばねユニット２７０の先端部２７５は、リボルバー部２６８の回転に伴って、右方に向かって移動し、その後、規制面２７２と接触する。これにより、ばね２７６は、再度、収縮状態に弾性変形される。
【０２０３】
そして、リボルバー部２６８がさらに回転されると、複数のボール収容凹部２６１のそれぞれが、順次、ボール通過口２５５の右方に到達し、対応する穴２７１が、先端部２７５の左方に到達する。
【０２０４】
これにより、上記と同様の発射動作が繰り返され、ボール収容凹部２６１に収容されるボール７１が順次、発射ユニット２６６から発射される。
５．第５実施形態
次に、本発明の第５実施形態について説明する。
【０２０５】
図２３Ａ〜図２５Ｂにおいて、図１〜図２２Ｂに示す各部に対応する部分には、それらの各部と同一の参照符号を付し、その説明を省略する。
【０２０６】
本発明の第５実施形態であるリセッタ３４は、図２３Ａに示すように、発射装置の一例としての発射ユニット２８０を備えている。
【０２０７】
発射ユニット２８０は、ガイド部９３と、ボール７１と、力付与部材の一例としての羽根保持ギヤ２８１と、第３アイドルギヤ２３３とを備えている。
【０２０８】
ガイド部９３の第１ガイド部９５は、図２４Ａに示すように、１対の突部２８２を有している。１対の突部２８２は、第１ガイド部９５の前後両側壁における内側面から互いに近づくように突出し、前後方向に間隔を隔てて対向配置されている。
【０２０９】
詳しくは、後方の突部２８２は、第１ガイド部９５の後壁における、受入口９７の上方周縁から、前方に向かって突出しており、側面視略矩形状を有している。前方の突部２８２は、後方の突部２８２と前後方向に対向するように配置され、第１ガイド部９５の前壁から後方に向かって突出し、側面視略矩形状を有している。また、１対の突部２８２の前後方向における間隔は、ボール７１の外径よりも僅かに短くなっている。
【０２１０】
また、第１ガイド部９５は、その内部空間に、供給部材の一例としての押圧部材２８３と、複数のボール７１とを収容している。押圧部材２８３は、第１ガイド部９５内の下部に配置されており、押圧部２８４と、ばね部２８５とを備えている。
【０２１１】
押圧部２８４は、下方に向かって開放される側面視略Ｕ字状を有している。ばね部２８５は、上下方向に伸縮可能な空心コイル状からなり、押圧部２８４の上壁と第１ガイド部９５の底壁との間に挟まれている。
【０２１２】
ボール７１は、第１ガイド部９５内に複数、例えば、４つ収容されており、押圧部２８４の上方において、上下方向に並ぶように配置されている。これにより、複数のボール７１は、ばね部２８５により、押圧部２８４を介して、常には、上方に向かって付勢されている。一方、最も上方のボール７１は、１対の突部２８２により挟持され、上方に向かう移動が規制されている。これによって、最も上方のボール７１は、力付与位置に位置されている。
【０２１３】
つまり、第５実施形態において、第１ガイド部９５は、その内部において、複数のボール７１を収容しており、収容部の一例としても機能する。
【０２１４】
羽根保持ギヤ２８１は、図２３Ａおよび図２３Ｂに示すように、側壁３５Ｌに回転可能に支持されており、ギヤ部２８６と、板状部２８７と、羽根支持軸２８８と、羽根２８９とを備えている。
【０２１５】
ギヤ部２８６は、左右方向に厚みを有する略円板形状であり、その周面全周にわたってギヤ歯を有している。板状部２８７は、ギヤ部２８６の左方に隣接配置され、ギヤ部２８６と中心軸線を共有する略円板形状を有している。また、板状部２８７は、ギヤ部２８６よりも大径である。
【０２１６】
羽根支持軸２８８は、図２３Ａに示すように、板状部２８７の左面における中央部分から左方に向かって突出し、板状部２８７と中心軸線を共有する略円柱形状を有している。
【０２１７】
羽根２８９は、可撓性の樹脂材料からなり、羽根支持軸２８８の周面における左方部分から径方向の外方に延びる略板形状を有している。また、羽根支持軸２８８の径方向における羽根２８９の寸法は、板状部２８７の半径よりも長くなっている。羽根２８９は、羽根支持軸２８８の周方向において、互いに略９０°の間隔を隔てて４つ配置されている。
【０２１８】
そして、羽根保持ギヤ２８１は、ガイド部９３の後方かつ第３アイドルギヤ２３３の前上方に配置されている。また、羽根保持ギヤ２８１のギヤ部２８６は、図２３Ｂに示すように、第３アイドルギヤ２３３の小径ギヤ２４２に前上方から噛合している。
【０２１９】
これによって、図２４Ａに示すように、入力ギヤ５５に駆動力が入力されて第３アイドルギヤ２３３が図２４Ａにおいて時計方向に回転されると、羽根保持ギヤ２８１は、第３アイドルギヤ２３３の回転に伴って、矢印で示す回転方向Ｒすなわち図２４Ａにおいて反時計方向に回転される。
【０２２０】
そうすると、羽根保持ギヤ２８１の回転に伴って、羽根２８９の遊端部が、図２４Ｂに示すように、第１ガイド部９５の後壁と摺擦する。これにより、羽根２８９は、第１ガイド部９５の後壁との摩擦力により、回転方向Ｒの逆方向に反る湾曲形状に弾性変形される。このとき、羽根２８９は、最も大きな弾性エネルギーを蓄積する第１状態の一例としての湾曲状態にある。
【０２２１】
そして、羽根保持ギヤ２８１がさらに回転すると、羽根２８９の遊端部が受入口９７に到達する。これにより、羽根２８９は、羽根２８９の遊端部と第１ガイド部９５の後壁との摺擦が解消され、湾曲状態から、蓄積した弾性エネルギーを解放するように復元される。
【０２２２】
そうすると、羽根２８９の遊端部が、受入口９７を介して、力付与位置にあるボール７１に後下方から、勢いよく当接する。そうすると、ボール７１は、１対の突部２８２間を通過し、上方に向かって飛ばされる。つまり、第５実施形態では、羽根保持ギヤ２８１によるボール７１に対する付勢方向と、押圧部材２８３によるボール７１の供給方向とは略同一方向である。
【０２２３】
そして、ボール７１は、第２ガイド部９６にガイドされることにより、左上方に向かって移動し、第２ガイド部９６の上端部から発射ユニット２８０の外に発射される。
【０２２４】
一方、第１ガイド部９５内に収容されているボール７１は、最も上方にあるボール７１が、１対の突部２８２間に挟持されるまで、押圧部材２８３により上方に向かって移動される。これにより、最も上方にあるボール７１が、力付与位置に位置される。
【０２２５】
続いて、羽根保持ギヤ２８１がさらに回転されると、上記と同様の発射動作が繰り返され、第１ガイド部９５内に収容されるボール７１が順次、発射ユニット２８０から発射される。
６．第６実施形態
次に、本発明の第６実施形態について説明する。
【０２２６】
図２６Ａおよび図２７Ｂにおいて、図１〜図２５Ｂに示す各部に対応する部分には、それらの各部と同一の参照符号を付し、その説明を省略する。
【０２２７】
本発明の第６実施形態であるリセッタ３４は、図２６Ａに示すように、発射装置の一例としての発射ユニット２９０を備えている。
【０２２８】
発射ユニット２９０は、ガイドフレーム９０と、ボール供給ギヤ７０と、中間ギヤ２９１と、力付与部材の一例としてのボール打上ギヤ２９２とを備えている。
【０２２９】
ガイドフレーム９０の第１ガイド部９５は、図２６Ｂに示すように、通過口２９３を有している。通過口２９３は、第１ガイド部９５の底壁から前壁にわたって、後述する羽根部２９６の通過を許容するように構成されている。
【０２３０】
中間ギヤ２９１は、大径ギヤ２９５と、大径ギヤ２９５の左方に配置される小径ギヤ２９４とを備える２段ギヤからなる。大径ギヤ２９５および小径ギヤ２９４は、それぞれの周面全周にわたって、ギヤ歯を有している。
【０２３１】
そして、中間ギヤ２９１は、図２６Ａに示すように、ボール供給ギヤ７０の前方、かつ、ガイドフレーム９０の右方に配置されている。また、中間ギヤ２９１の小径ギヤ２９４は、図２６Ｂに示すように、ボール供給ギヤ７０の欠け歯ギヤ部７３に前方から噛合されている。
【０２３２】
ボール打上ギヤ２９２は、ギヤ部２８６と、板状部２８７と、羽根支持軸２８８と、羽根部２９６とを備えている。
【０２３３】
羽根部２９６は、羽根支持軸２８８の周面における左端部から径方向の外方に延びる略平板形状を有し、後述するようにボール７１を打ち上げ可能な剛性を有している。
【０２３４】
また、羽根支持軸２８８の径方向における羽根部２９６の寸法は、板状部２８７の半径よりも長くなっている。羽根部２９６は、羽根支持軸２８８の周方向において、互いに略９０°の間隔を隔てて４つ配置されている。
【０２３５】
そして、ボール打上ギヤ２９２は、ボール供給ギヤ７０およびガイドフレーム９０の前方に配置されている。これによって、羽根部２９６は、ボール打上ギヤ２９２が回転されたときに、通過口２９３を介して、第１ガイド部９５内を通過するように構成されている。
【０２３６】
また、ボール打上ギヤ２９２のギヤ部２８６は、図２６Ａに示すように、中間ギヤ２９１の大径ギヤ２９５に前下方から噛合されている。
【０２３７】
これによって、図２７Ａに示すように、入力ギヤ５５に駆動力が入力されて、ボール供給ギヤ７０が図２７Ａにおいて時計方向に回転されると、その駆動力が、中間ギヤ２９１を介して、ボール打上ギヤ２９２に伝達される。そうすると、ボール打上ギヤ２９２は、矢印で示す回転方向Ｒ、すなわち図２７Ａにおいて時計方向に回転される。つまり、入力ギヤ５５に駆動力が入力されると、ボール供給ギヤ７０およびボール打上ギヤ２９２のそれぞれが、図２７Ａにおいて時計方向に回転される。
【０２３８】
そして、各ボール受部８０に収容されている各ボール７１は、ボール供給ギヤ７０から、排出口４７および受入口９７を介して、第１ガイド部９５内に順次供給される。そうすると、第１ガイド部９５内に供給されたボール７１に、ボール打上ギヤ２９２の羽根部２９６が下方から当接し、そのボール７１が打ち上げられる。
【０２３９】
そうすると、ボール７１は、第１ガイド部９５にガイドされることにより、上方に向かって移動し、その後、第２ガイド部９６に到達する。そして、ボール７１が第２ガイド部９６にガイドされることにより、左上方に向かってさらに移動する。これによって、ボール７１は、発射開口１０７から発射ユニット２９０の外に発射される。
【０２４０】
続いて、ボール供給ギヤ７０およびボール打上ギヤ２９２がさらに回転されると、上記と同様の発射動作が繰り返される。これによって、ボール供給ギヤ７０に収容されるボール７１が順次、発射ユニット２９０から発射される。
【０２４１】
続いて、ボール供給ギヤ７０およびボール打上ギヤ２９２がさらに回転されると、上記と同様の発射動作が繰り返される。これによって、ボール供給ギヤ７０に収容されるボール７１が順次、発射ユニット２９０から発射される。
７．プリンタの全体構成
次に、前述した本発明の第１実施形態〜第６実施形態のリセッタ３４が用いられる電子写真方式の画像形成装置の一例としてのプリンタ１の説明をする。
【０２４２】
プリンタ１は、図３１に示すように、略ボックス形状の本体ケーシング２を備えている。
【０２４３】
本体ケーシング２は、一方の側壁に開口部３を有している。また、本体ケーシング２はフロントカバー４を備えている。フロントカバー４は、その下端部を支点として揺動し、開口部３を開閉するように構成されている。
【０２４４】
なお、以下の説明において、プリンタ１に関し、方向について言及する場合には、プリンタ１を水平に載置した状態を基準とする。具体的には、図３１中に矢印で示すように、フロントカバー４が設けられる一方側、すなわち紙面右方を前方とし、その反対側、すなわち紙面左方を後方とする。また、プリンタ１を前方から見たときを基準として左右を規定する。つまり、上下方向が鉛直方向であり、前後左右方向が水平方向である。
【０２４５】
このプリンタ１は、ドラムカートリッジ１１および現像カートリッジ１２を収容するように構成されているカートリッジ収容部１０を有している。
【０２４６】
ドラムカートリッジ１１は、感光ドラム１３と、スコロトロン型帯電器１４と、転写ローラ１５とを備えている。スコロトロン型帯電器１４は、感光ドラム１３の後上方において感光ドラム１３と間隔を隔てて対向している。転写ローラ１５は、感光ドラム１３に対向し、下方から感光ドラム１３に接触している。
【０２４７】
現像カートリッジ１２は、ドラムカートリッジ１１に着脱自在に装着されるように構成されている。ドラムカートリッジ１１に装着された現像カートリッジ１２は、本体ケーシング２のカートリッジ収容部１０に着脱自在に収容されるように構成されている。
【０２４８】
現像カートリッジ１２は、図２Ｂに示すように、筐体１６と、攪拌部材の一例としてのアジテータ１９と、現像ローラ２２と、供給ローラ２３と、層厚規制ブレード２４とを備えている。
【０２４９】
筐体１６は、その内部に、前後方向に並列されるトナー収容室１７および現像室１８を有している。トナー収容室１７は、現像剤の一例としてのトナーを収容している。
【０２５０】
アジテータ１９は、トナー収容室１７の前後上下方向略中央部分に配置されている。また、アジテータ１９は、第３方向の一例としての左右方向に延びるアジテータ軸２０と、アジテータ軸２０からアジテータ軸２０の径方向の外側に延びる攪拌ブレード２１とを備えている。そして、アジテータ１９は、アジテータ軸２０の両端部が、筐体１６の両側壁３５に回転可能に支持されることによって、筐体１６に支持されている。これにより、アジテータ１９は、アジテータ軸２０の中心軸線Ａ１を中心に回転可能となるように構成されている。
【０２５１】
現像ローラ２２は左右方向に延びる現像ローラ軸２５と、その両端部が露出するように現像ローラ軸２５を被覆するゴムローラ２６とを備えている。ゴムローラ２６は、その周面において、トナーを担持するトナー担持領域Ｔを有している。現像ローラ２２は、ゴムローラ２６が筐体１６の後方から露出するように配置されている。現像ローラ軸２５の両端部は、両方の側壁３５に回転可能にそれぞれ支持されている。これにより、現像ローラ２２は、現像ローラ軸２５の中心軸線Ａ２を中心に回転可能となるように構成されている。また、現像ローラ軸２５の両端部は、筐体１６の両側壁３５から左右方向の外側にそれぞれ露出している。
【０２５２】
供給ローラ２３は、左右方向に延びる供給ローラ軸２７と、その両端部が露出するように供給ローラ軸２７を被覆するスポンジローラ２８とを備えている。供給ローラ２３は、スポンジローラ２８がゴムローラ２６に前下方から圧接するように配置されている。供給ローラ軸２７の両端部は、筐体１６の両側壁３５に回転可能にそれぞれ支持されている。また、供給ローラ軸２７の両端部は、筐体１６の両側壁３５から左右方向の外側にそれぞれ露出している。
【０２５３】
層厚規制ブレード２４は、現像ローラ２２に前上方から接触するように、筐体１６に支持されている。層厚規制ブレード２４は、トナーの厚さを規制するように構成されている。
【０２５４】
次いで、プリンタ１の画像形成動作について説明する。
【０２５５】
画像形成動作では、まず、アジテータ１９が、回転することにより、トナー収容室１７内のトナーを攪拌するとともに、現像室１８内の供給ローラ２３にトナーを供給する。
【０２５６】
次いで、供給ローラ２３が、回転することにより、供給ローラ２３に供給されたトナーを現像ローラ２２のトナー担持領域Ｔに供給する。このとき、供給ローラ２３と現像ローラ２２とが、それらローラ間でトナーを正極性に摩擦帯電する。
【０２５７】
次いで、層厚規制ブレード２４が、現像ローラ２２が担持するトナーの厚さを規制する。これにより、現像ローラ２２が一定厚さの薄層となったトナーをトナー担持領域Ｔで担持する。
【０２５８】
一方、スコロトロン型帯電器１４が、感光ドラム１３の回転に伴って、感光ドラム１３の表面一様に正帯電する。そして、本体ケーシング２の上部に設けられるスキャナユニット５が、正帯電した感光ドラム１３の表面に、レーザビームＬを選択的に照射する。これにより、画像データに基づく静電潜像が、感光ドラム１３の表面に形成される。
【０２５９】
次いで、現像ローラ２２が、回転することにより、トナー担持領域Ｔに担持するトナーを、感光ドラム１３の表面に形成される静電潜像に供給する。これにより、トナー像が感光ドラム１３の表面に担持される。
【０２６０】
用紙Ｐは、本体ケーシング２の底部に着脱自在に装着される給紙トレイ６内に収容されている。用紙Ｐは、ピックアップローラ７によって、分離ローラ５１と分離パッド５２との間に供給され、分離ローラ５１により１枚ずつに捌かれる。その後、用紙Ｐは、１対の搬送ローラ５３により、Ｕターンパスからなる給紙パス８に供給されて、１対のレジストローラ９に向けて搬送される。そして、その用紙Ｐは、１対のレジストローラ９によって、所定のタイミングで１枚ずつ、感光ドラム１３と転写ローラ１５との間に給紙される。また、用紙Ｐは、感光ドラム１３と転写ローラ１５との間を通過するときに、トナー像が転写される。これにより、画像が用紙Ｐに形成される。
【０２６１】
そして、用紙Ｐは、本体ケーシング２の後部に設けられる加熱ローラ３０と加圧ローラ３１との間を通過するときに加熱および加圧される。このとき、画像が用紙Ｐに熱定着される。
【０２６２】
その後、用紙Ｐは、排紙ローラ３２に向けて搬送され、排紙ローラ３２によって、本体ケーシング２の上面に形成された排紙トレイ３３上に排紙される。
８．ドラムカートリッジの詳細
ドラムカートリッジ１１は、図１に示すように、ドラムフレーム１７０を備えている。
【０２６３】
ドラムフレーム１７０は、上部が開口した略矩形の箱形状である。ドラムフレーム１７０は、左右方向に間隔を隔てて配置される１対のドラム側壁１７１を備えている。
【０２６４】
ドラム側壁１７１は、それぞれ、前後方向に長い略板形状である。各ドラム側壁１７１は、その後方部分を構成するドラム支持壁１７２と、その前方部分を構成するカートリッジ隣接壁１７３とを備えている。
【０２６５】
ドラム支持壁１７２は、側面視略矩形状を有している。カートリッジ隣接壁１７３は、ドラム支持壁１７２の前端縁における下方部分から連続して、前方に向かって延びる側面視略矩形状を有している。
【０２６６】
また、１対のドラム側壁１７１は、それぞれ、軸受入溝１７４を有しており、そのうちの左方のドラム側壁１７１は、さらに、発射ユニット受入溝１７５を有している。
【０２６７】
軸受入溝１７４は、ドラム支持壁１７２の前端部において、カートリッジ隣接壁１７３が接続される部分の上方に配置されている。また、軸受入溝１７４は、側面視略Ｕ字状に凹む凹部であり、カートリッジ隣接壁１７３の前端縁から前方に向かって凹んでいる。
【０２６８】
発射ユニット受入溝１７５は、カートリッジ隣接壁１７３の前後方向略中央部分を、上下方向すべてにわたって切り欠かれた切欠きである。発射ユニット受入溝１７５は、後述する円周壁４６およびガイドフレーム９０のそれぞれの下方部分を受け入れ可能な形状およびサイズを有している。
【０２６９】
そして、感光ドラム１３、スコロトロン型帯電器１４および転写ローラ１５は、図３１に示すように、１対のドラム側壁１７１におけるドラム支持壁１７２間に配置されている。現像カートリッジ１２は、１対のドラム側壁１７１におけるカートリッジ隣接壁１７３間に装着される。
９．本体ケーシングの詳細
本体ケーシング２は、図１および図１４に示すように、本体カップリング１１０と、検知機構１１１と、ＣＰＵ１２５とを内部に備えている。
【０２７０】
本体カップリング１１０は、リセッタ３４が装着されたドラムカートリッジ１１がカートリッジ収容部１０に収容されているときに、リセッタ３４の入力ギヤ５５に駆動力を入力するように構成されている。検知機構１１１は、リセッタ３４が装着されたドラムカートリッジ１１がカートリッジ収容部１０に収容されているときに、リセッタ３４の発射ユニット３９から発射されたボール７１を検知するように構成されている。ＣＰＵ１２５は、検知機構１１１に電気的に接続されている。
（１）本体カップリング
本体カップリング１１０は、図１に示すように、本体ケーシング２に設けられる図示しないモータなどの駆動源から供給される駆動力が伝達されるように構成されている。また、本体カップリング１１０は、左右方向に延びる略円柱形状を有している。本体カップリング１１０は、リセッタ３４が装着されたドラムカートリッジ１１がカートリッジ収容部１０に収容された状態において、入力ギヤ５５の結合凹部６５に、左方から対向するように配置されている。
【０２７１】
また、本体カップリング１１０は、フロントカバー４の開位置と閉位置との間の移動に伴い、公知の連動機構によって、本体カップリング１１０と結合凹部６５とが左右方向に離間する退避位置と、本体カップリング１１０の右端部が結合凹部６５に相対回転不能に挿入される進出位置とに、左右方向に沿って移動するように構成されている。
【０２７２】
そして、本体カップリング１１０は、駆動源から供給された駆動力が伝達されると、右側面視反時計方向に回転される。
（２）検知機構
検知機構１１１は、図１４に示すように、本体ケーシング２の左側壁１０９に備えられており、ボール通路１１２と、アクチュエータ１１３と、発光素子および受光素子の対からなる光学式センサ１１４とを備えている。
【０２７３】
ボール通路１１２は、開口１１６と、通過パス１１７と、貯留部１１５とを備えている。
【０２７４】
開口１１６は、本体ケーシング２の左側壁１０９において、カートリッジ収容部１０に収容されたリセッタ３４の発射開口１０７と、第２ガイド方向Ｙ、具体的には、右下方から左上方に向かう方向に間隔を隔てて対向するように画定されている。開口１１６は、ボール７１の通過を許容する形状およびサイズを有している。
【０２７５】
通過パス１１７は、開口１１６から左上方に延びる第１パス１１８と、第１パス１１８の左端部から屈曲して、下方に向かって延びる第２パス１１９とを備えている。
【０２７６】
貯留部１１５は、略ボックス形状を有し、ボール７１を貯留可能な空間を有している。
貯留部１１５の内部空間は、第２パス１１９の下端部と連通している。
【０２７７】
アクチュエータ１１３は、第２パス１１９の上下方向略中央部分に配置されており、第２パス１１９を通過するボール７１と接触または接触解除されたときに、揺動するように構成されている。
【０２７８】
アクチュエータ１１３は、揺動軸１２０と、当接レバー１２１と、遮光レバー１２２とを備えている。揺動軸１２０は、前後方向に延び、本体ケーシング２の左側壁１０９に回転可能に支持されている。当接レバー１２１は、揺動軸１２０から右方に延びている。遮光レバー１２２は、揺動軸１２０から左方に延びている。
【０２７９】
そして、アクチュエータ１１３は、図示しないばねにより、常には、非検知位置に位置している。アクチュエータ１１３が非検知位置に位置するときは、当接レバー１２１が揺動軸１２０から右方に延び、遮光レバー１２２が揺動軸１２０から左方に延びている。また、アクチュエータ１１３は、当接レバー１２１にボール７１が上方から当接することにより、揺動軸１２０を支点として正面視時計方向に揺動し、検知位置に移動する。アクチュエータ１１３が検知位置に位置するときは、当接レバー１２１が揺動軸１２０から右下方に延び、遮光レバー１２２が揺動軸１２０から左上方に延びている。また、アクチュエータ１１３が検知位置にある状態において、ボール７１は第２パス１１９を通過することが許容される。なお、図１４において、非検知位置にあるアクチュエータ１１３を実線にて示し、検知位置にあるアクチュエータ１１３を仮想線にて示す。
【０２８０】
光学式センサ１１４は、前後方向に互いに対向して配置される発光素子および受光素子を備えている。そして、光学式センサ１１４は、アクチュエータ１１３が非検知位置にある場合には発光素子から受光素子に至る光路が遮光レバー１２２により遮られ、かつ、アクチュエータ１１３が検知位置にある場合にはその光路上から遮光レバー１２２が退避するように構成されている。遮光レバー１２２が発光素子から受光素子に至る光路上から退避したときに、光学式センサ１１４からオン信号が出力される。
（３）ＣＰＵ
ＣＰＵ１２５は、光学式センサ１１４から出力されるオン信号がＣＰＵ１２５に入力されるように、光学式センサ１１４と電気的に接続されている。また、ＣＰＵ１２５は、光学式センサ１１４からの信号に基づいて、本体ケーシング２にリセッタ３４が装着されたか否かの判断を行うように構成されている。さらに、ＣＰＵ１２５が、リセッタ３４が装着されたことを判断した場合には、リセッタ３４に対応する新品の現像カートリッジ１２の最大印刷可能枚数の判断がなされ、新品の現像カートリッジ１２が装着された時点からの実際の印刷枚数をカウントするように構成されている。なお、現像カートリッジ１２の最大印刷可能枚数は、現像カートリッジ１２が新品であるときに、トナー収容室１７に収容されているトナーによって印刷が可能な用紙Ｐの最大枚数である。そして、ＣＰＵ１２５は、カウントされた実際の印刷枚数と、現像カートリッジ１２の最大印刷可能枚数とを比較して、実際の印刷枚数が最大印刷可能枚数を超える直近に、図示しない操作パネルなどに、トナーエンプティの警告を表示するよう構成されている。
１０．現像カートリッジの交換動作
次に、プリンタ１における現像カートリッジ１２の交換動作を説明する。
（１）本体ケーシングからの旧品の現像カートリッジの離脱動作
本体ケーシング２に装着されている現像カートリッジ１２を、新品の現像カートリッジ１２に交換する場合、まず、フロントカバー４が開位置に移動されて、開口部３が開放される。このとき、本体カップリング１１０は、図１に示すように、退避位置に位置される。なお、以下の説明において、本体ケーシング２に装着されていた現像カートリッジ１２（一度新品と判別された現像カートリッジ１２）を、旧品の現像カートリッジ１２とする。
【０２８１】
そして、旧品の現像カートリッジ１２が装着されるドラムカートリッジ１１が、図３１に示すように、開口部３を介して前方に向かって引き出される。これによって、ドラムカートリッジ１１が本体ケーシング２から離脱される。
【０２８２】
次いで、ドラムカートリッジ１１に装着されている現像カートリッジ１２が、前上方に向かって引き上げられ、ドラムカートリッジ１１から離脱される。これによって、本体ケーシング２からの旧品の現像カートリッジ１２の離脱が完了する。
（２）リセッタの本体ケーシングに対する装着
次いで、図１に示すように、現像カートリッジ１２が離脱された後のドラムカートリッジ１１に、リセッタ３４が装着される。
【０２８３】
リセッタ３４をドラムカートリッジ１１に装着するには、まず、ユーザにより、リセッタ３４の取っ手１９０が把持され、この状態で、ドラムフレーム１７０における１対のカートリッジ隣接壁１７３の間の空間に向かって、ドラムカートリッジ１１の前上方からリセッタ３４が挿入される。
【０２８４】
そうすると、左右両側のガイド軸１８７が、対応する軸受入溝１７４に前方から受け入れられるとともに、発射ユニット３９の円周壁４６およびガイドフレーム９０のそれぞれの下方部分が、発射ユニット受入溝１７５に上方から受け入れられる。
【０２８５】
これによって、リセッタ３４が、１対のカートリッジ隣接壁１７３の間に配置され、リセッタ３４のドラムカートリッジ１１に対する装着が完了する。このとき、入力ギヤ５５のカップリング部６２は、左方のカートリッジ隣接壁１７３の上方に配置され、結合凹部６５は左方から露出している。
【０２８６】
次いで、フロントカバー４が開位置に移動されて、開口部３が開放される。そして、リセッタ３４が装着されたドラムカートリッジ１１が、開口部３を介して、前方から本体ケーシング２のカートリッジ収容部１０に挿入される。これによって、本体ケーシング２のカートリッジ収容部１０に対する、リセッタ３４が装着されたドラムカートリッジ１１の装着、すなわちリセッタ３４の装着が完了する。
【０２８７】
このとき、図１４に示すように、発射ユニット３９の発射開口１０７と、ボール通路１１２の開口１１６とが、第２ガイド方向Ｙにおいて間隔を隔てて対向される。また、入力ギヤ５５の結合凹部６５と、本体カップリング１１０とが左右方向に間隔を隔てて対向される。
（３）リセッタによる新品検知動作
次いで、フロントカバー４が、開位置から閉位置に移動され、開口部３が閉鎖される。そうすると、本体カップリング１１０が、突出位置に移動され、入力ギヤ５５の結合凹部６５と相対回転不能に係合する。これにより、駆動源から供給される駆動力が、本体カップリング１１０を介して、入力ギヤ５５に伝達可能となる。
【０２８８】
その後、入力ギヤ５５は、プリンタ１のウォームアップ動作が開示されると、本体カップリング１１０から駆動力を受け取る。そうすると、上述した通り、リセッタ３４の発射ユニット３９は、ボール７１を発射する。発射されたボール７１は、本体ケーシング２の左側壁１０９の開口１１６に受け入れられ、通過パス１１７の第１パス１１８内に進入する。そして、ボール７１は、第１パス１１８および第２パス１１９の連続部分に到達すると、その接続部分にガイドされることにより、進行方向が下方に向かって変更され、第２パス１１９内に進入する。
【０２８９】
そうすると、ボール７１が、アクチュエータ１１３の当接レバー１２１に対して上方から当接する。これにより、アクチュエータ１１３が、非検知位置から、正面視時計方向に揺動して検知位置に配置される。そうすると、光学式センサ１１４は、アクチュエータ１１３の揺動を検知してオン信号を出力する。これにより、光学式センサ１１４によるボール７１の検知が達成される。
【０２９０】
その後、アクチュエータ１１３は、ボール７１の通過を許容した後、図示しないばねの付勢力により、検知位置から再度非検知位置に揺動する。その結果、光学式センサ１１４の発光素子から受光素子に至る光路が、遮光レバー１２２により遮られ、光学式センサ１１４は、オン信号の出力を停止する。
【０２９１】
つまり、発射ユニット３９からボール７１が発射されると、光学式センサ１１４は、まず、アクチュエータ１１３の非検知位置から検知位置への揺動を検知してオン信号を出力する。その後、アクチュエータ１１３の検知位置から非検知位置への揺動により、光学式センサ１１４はオン信号の出力を停止する。
【０２９２】
そして、光学式センサ１１４から出力されたオン信号は、ＣＰＵ１２５に入力される。これにより、リセッタ３４がカートリッジ収容部１０内に装着された後に、光学式センサ１１４が、所定のオン信号の出力し、その後、その所定のオン信号の出力を停止した場合には、ＣＰＵ１２５は、そのリセッタ３４に対応する現像カートリッジ１２が新品であると判別する。このとき、ＣＰＵ１２５は、実際の印刷枚数のカウンタをリセットする。
【０２９３】
また、ボール７１は、アクチュエータ１１３と当接した後、第２パス１１９から貯留部１１５に到達して、貯留部１１５内に貯留される。そのため、貯留部１１５内のボール７１の個数は、現像カートリッジ１２の交換回数などの情報に対応している。
【０２９４】
続けて、上述したように、ボール供給ギヤ７０がさらに回転することにより、発射ユニット３９は、一つ目のボール７１を発射した後に続けて二つ目のボール７１を発射する。発射された二つ目のボール７１も、光学式センサ１１４に検知される。同様に、順次発射ユニット３９から発射された三つ目および四つ目のボール７１も、光学式センサ１１４に検知される。
【０２９５】
このように、リセッタ３４がカートリッジ収容部１０内に初めて装着されると、発射ユニット３９から複数のボール７１が発射され、それら複数のボール７１を光学式センサ１１４が検知する。これにより、光学式センサ１１４は、所定の回数、具体的には４回のオン信号の出力および出力停止を実行する。
【０２９６】
上記したオン信号のパターンは、リセッタ３４が対応する現像カートリッジ１２の情報に対応している。したがって、ＣＰＵ１２５は、入力されたオン信号の入力回数によって、リセッタ３４が対応する現像カートリッジ１２の最大印刷可能枚数を判断する。
（４）本体ケーシングに対する、新品の現像カートリッジの装着動作
次いで、フロントカバー４が開位置に位置された後、リセッタ３４が装着されているドラムカートリッジ１１が、開口部３を介して、本体ケーシング２から離脱される。
【０２９７】
そして、ユーザにより取っ手１９０が把持されて、リセッタ３４が上方に向かって引き上げられることにより、ドラムカートリッジ１１からリセッタ３４が離脱される。
【０２９８】
次いで、リセッタ３４に対応する新品の現像カートリッジ１２が、ドラムフレーム１７０における１対のカートリッジ隣接壁１７３の間の空間に装着される。
【０２９９】
次いで、新品の現像カートリッジ１２が装着されたドラムカートリッジ１１が、開口部３を介して、本体ケーシング２に装着される。
【０３００】
このように、リセッタ３４は、新品検知動作を行うときのみ本体ケーシング２内に装着され、印字動作時（画像形成動作時）には、本体ケーシング２内から離脱されている。
１１．第１実施形態における作用効果
（１）リセッタ３４は、図２に示すように、発射ユニット３９を備えている。また、発射ユニット３９は、図１４に示すように、外部にボール７１を発射することにより、プリンタ１をリセット、具体的にはＣＰＵ１２５による実際の印刷枚数のカウンタをリセットできる。
【０３０１】
そのため、プリンタ１をリセットするための部材を、プリンタ１に装着されるカートリッジ、例えば、現像カートリッジ１２やドラムカートリッジ１１などに備える必要がない。その結果、カートリッジを再利用しつつ、リセッタ３４を再利用できる。従って、リセッタ３４を効率よく再利用できる。
【０３０２】
また、リセッタ３４が発射ユニット３９を備えているので、ボール７１を発射ユニット３９から発射し、そのボール７１をプリンタ１の検知機構１１１に検知させることができる。つまり、検知機構１１１は、リセッタ３４から発射されたボール７１をプリンタ１において検知する。そのため、検知機構１１１にボール７１を確実に検知させることができ、プリンタ１を確実にリセットできる。
（２）また、発射ユニット３９は、図１０Ａに示すように、ボール７１を備えている。つまり、発射ユニット３９はボール７１を予め備えているため、発射ユニット３９はボール７１を確実に発射することができる。
（３）また、リセッタ３４は、図９に示すように、本体カップリング１１０から駆動力が入力される入力ギヤ５５を備えている。そして、発射ユニット３９は、図１２Ｂに示すように、入力ギヤ５５が受ける駆動力により、ボール７１を発射する。そのため、発射ユニット３９はボール７１を確実に発射することができる。
（４）また、発射ユニット３９は、図１２Ｂに示すように、ボール７１を発射するための力を、ボール７１に付与するように構成される付勢ユニット９１を備えている。
【０３０３】
そのため、発射ユニット３９は、ボール７１をより一層確実に発射することができる。
（５）また、付勢ユニット９１の進出部材９８は、図１２に示すように、開放位置から閉鎖位置に移動することにより、ボール７１に力を付与するように構成されている。そのため、ボール７１に発射するための力を付与することができる。
（６）また、付勢ユニット９１は、図１２Ａおよび図１２Ｂに示すように、ばね部材９９が弾性変形することにより、ボール７１に発射するための力を付与する。そのため、簡易な構成でありながら、ボール７１に発射するための力を確実に付与することができる。
（７）また、付勢ユニット９１は、図１２Ａおよび図１２Ｂに示すように、ばね部材９９の収縮状態から伸張状態への弾性変形により、ボール７１に力を付与する。そのため、簡易な構成でありながら、ボール７１に発射するための力をより一層確実に付与することができる。
（８）また、付勢ユニット９１は、図１２Ａおよび図１２Ｂに示すように、入力ギヤ５５に入力される駆動力により、ばね部材９９を収縮状態から伸張状態に弾性変形させることができ、ボール７１に発射するための力を確実に付与できる。
（９）また、リセッタ３４は、図１０に示すように、入力ギヤ５５が受ける駆動力により回転するボール供給ギヤ７０を備えている。ボール供給ギヤ７０が、入力ギヤ５５が受ける駆動力により回転して、付勢ユニット９１の進出部材９８と係合することにより、ばね部材９９が伸張状態から収縮状態に弾性変形され、ボール供給ギヤ７０と進出部材９８との係合が解除されることにより、収縮状態から伸張状態に弾性変形される。そのため、入力ギヤ５５が受ける駆動力によって、ボール供給ギヤ７０を回転させることにより、ばね部材９９を収縮状態と伸張状態とに確実に弾性変形させることができる。
（１０）また、円周壁４６、ボール受部８０および第３部分１０５が、図１０Ａに示すように、各ボール７１を収容する収容部として機能する。そのため、各ボール７１を確実に収容することができ、ボール７１の効率的な配置を確保することができる。
（１１）また、ボール７１は、図１０Ａに示すように、発射ユニット３９に複数備えられている。そのため、リセッタ３４に対応する新品の現像カートリッジ１２の情報量の向上を図ることができる。
（１２）また、付勢ユニット９１は、図１１Ａ〜図１２Ｂに示すように、ボール７１に対して、付勢方向Ｂに力を付与するように構成されており、ボール７１は、ボール受部８０から、付勢方向Ｂとは異なる供給方向Ｓに移動することにより、力付与位置に供給される。そのため、付勢方向Ｂと供給方向Ｓとが同一の方向である場合と比較して、簡易な構成でありながら、力付与位置にあるボール７１に確実に力を付与することができる。
【０３０４】
また、付勢方向Ｂと供給方向Ｓとが異なる方向であるので、ボール受部８０に収容されているボール７１が力付与位置に供給されるときに、ボール７１に力を付与するための構成、すなわち付勢ユニット９１が、ボール７１の力付与位置への供給の邪魔にならない。そのため、ボール受部８０に収容されているボール７１が、力付与位置へ良好に供給される。
（１３）また、発射ユニット３９は、図１１Ａ〜図１２Ｂに示すように、各ボール受部８０に収容されるボール７１を力付与位置に供給するように構成されている進出部材９８を備えている。そのため、ボール７１を確実に力付与位置に配置できる。
（１４）また、進出部材９８が、図１１Ａ〜図１２Ｂに示すように、各ボール受部８０に収容されているボール７１を、ボール受部８０から第１ガイド部９５に移動させるように構成されている。したがって、発射ユニット３９の各発射動作の開始前においては、ボール７１をボール受部８０に確実に収容させることができながら、発射ユニット３９の発射動作時においては、ボール７１を、ボール受部８０から第１ガイド部９５に確実に移動させることができ、ボール７１を力付与位置に確実に配置することができる。
（１５）また、進出部材９８は、図１１Ａ〜図１２Ｂに示すように、入力ギヤ５５に入力される駆動力により、各ボール受部８０に収容されているボール７１を、ボール受部８０から第１ガイド部９５に移動させるように構成されている。つまり、発射ユニット３９の発射動作と、進出部材９８のボール７１の供給動作とのそれぞれの動作が、入力ギヤ５５に入力される駆動力により実行される。そのため、発射ユニット３９の発射動作と、進出部材９８の供給動作とを確実に連動させることができる。その結果、発射ユニット３９の各発射動作時において、ボール７１をボール受部８０から第１ガイド部９５に確実に供給することができる。
（１６）また、円周壁４６は、図１１Ａ〜図１２Ｂに示すように、付勢ユニット９１に向けて、ボール７１を排出する排出口４７を有している。また、進出部材９８は、図１１Ａ〜図１３Ｂに示すように、ボール７１の供給またはボール７１の供給停止に伴って、排出口４７を開閉する延長部１０１を備えている。そのため、進出部材９８のボール７１の供給動作時において、ボール受部８０に収容される残りのボール７１が、ボール受部８０から排出口４７を介して、所望せず排出されてしまうことを抑制できる。
（１７）また、発射ユニット３９は、図１４に示すように、ガイド部９３を備えている。そのため、ガイド部９３が、付勢ユニット９１により力を付与されたボール７１の移動をガイドする。その結果、発射ユニット３９によるボール７１の安定した発射を確保することができる。
（１８）また、ガイド部９３は、図１４に示すように、ボール７１を付勢方向Ｂに移動するようにガイドする第１ガイド部９５と、ボール７１を排出方向Ｄに移動するようにガイドする第２ガイド部９６とを備えている。そのため、付勢ユニット９１により力を付与されたボール７１は、第２ガイド部９６によりガイドされて、排出方向Ｄに移動される。その結果、ボール７１を、排出方向Ｄにおいて、発射ユニット３９から遠方に到達させることができる。
（１９）また、リセッタ３４は、図２に示すように、リセッタフレーム１８０を備えている。また、第２ガイド部９６は、図１４に示すように、左右方向において、ボール７１を、左側壁３５Ｌから離れるようにガイドする。そのため、発射ユニット３９から発射されたボール７１を、左右方向において、発射ユニット３９から遠方に確実に到達させることができる。
（２０）また、ボール７１の移動方向におけるガイド部９３の下流側端部、すなわち発射開口１０７は、図３に示すように、左右方向に投影したときに、リセッタフレーム１８０の投影面の外形の外側に位置している。そのため、発射ユニット３９から発射されたボール７１を、上下方向において、発射ユニット３９から遠方に到達させることができる。
（２１）また、発射開口１０７が、図１４に示すように、左右方向において、第１ガイド部９５の下端部よりも、左側壁３５Ｌから離れている。そのため、発射ユニット３９から発射されたボール７１を、左右方向において、発射ユニット３９から遠方に確実に到達させることができる。
（２２）また、第１ガイド方向Ｘと第２ガイド方向Ｙとが成す角θの角度が、図１４に示すように、０°よりも大きく１８０°以下、具体的には、４５°に設定されている。そのため、発射ユニット３９から発射されたボール７１を、左右方向において、発射ユニット３９から遠方により一層確実に到達させることができる。
（２３）また、リセッタ３４は、図２に示すように、取っ手１９０を有するリセッタフレーム１８０を備えている。そのため、ユーザがリセッタ３４を操作するとき、例えば、リセッタ３４をドラムカートリッジ１１に装着させるときに、取っ手１９０を把持することができるので、リセッタ３４の操作性の向上を図ることができる。
１２．第２実施形態における作用効果
このような第２実施形態においても、発射ユニット２３０が、ボール７１を外部に発射することができるので、上記した第１実施形態および第２実施形態と同様の作用効果を奏することができる。
【０３０５】
また、第２実施形態では、直動部材２３２が圧縮ばね２４０を備えているので、圧縮ばね２４０が別部材に備えられている場合と比較して、部品点数の低減を図ることができる。
１３．第３実施形態における作用効果
このような第３実施形態においても、発射ユニット２４９が、ボール７１を外部に発射することができるので、上記した第１実施形態および第２実施形態と同様の作用効果を奏することができる。
１４．第４実施形態における作用効果
このような第４実施形態においても、発射ユニット２６６が、ボール７１を外部に発射することができるので、上記した第１実施形態〜第３実施形態と同様の作用効果を奏することができる。
１５．第５実施形態における作用効果
このような第５実施形態においても、発射ユニット２８０が、ボール７１を外部に発射することができるので、上記した第１実施形態〜第４実施形態と同様の作用効果を奏することができる。
１６．第６実施形態における作用効果
このような第６実施形態においても、発射ユニット２９０が、ボール７１を外部に発射することができるので、上記した第１実施形態〜第５実施形態と同様の作用効果を奏することができる。
１７．変形例
（１）上記した第１実施形態〜第６実施形態では、第２ガイド部が、水平方向の切断面がＵ字状、あるいは筒状を有しているが、第２ガイド部は、ボール７１の移動方向を変更するようにガイドできればこれに限定されない。
【０３０６】
例えば、第２ガイド部は、図２８Ａに示すように、ガイド板２９７から構成されていてもよい。ガイド板２９７は、略板形状を有し、第１ガイド部９５の右側壁における上端部から連続しており、上方に延びた後、屈曲してさらに左上方に向かって延びている。
【０３０７】
また、第２ガイド部は、図２８Ｂに示すように、１対のポール部材２９８のそれぞれは、略円柱形状を有し、第１ガイド部９５の右側壁における上端部から連続しており、上方に延びた後、湾曲してさらに左上方に向かって延びている。また、１対のポール部材２９８は、左右方向にボール７１の外径よりも短い間隔を隔てて対向している。
【０３０８】
これらによっても、上記した第１実施形態〜第６実施形態と同様の作用効果を奏することができる。
【０３０９】
（２）また、第２ガイド部は、図２９Ｂに示すように、ボール７１を跳ね返すことにより、ボール７１の移動方向を変更してもよい。
【０３１０】
例えば、第２ガイド部は、図２９Ａに示すように、第１傾斜部２９９と、第２傾斜部３００とから構成されていてもよい。第１傾斜部２９９は、略角筒形状を有し、第１ガイド部９５の上端部から連続しており、上方に向かうにつれて左方に傾斜している。第２傾斜部３００は、略角筒形状を有し、第１傾斜部２９９の上端部から連続しており、第１傾斜部２９９よりも左向きの傾斜が大きくなるように屈曲している。第２傾斜部３００は、上方に向かうにつれて左方に傾斜している。
【０３１１】
この場合、付勢ユニット９１により飛ばされたボール７１は、図２９Ｂに示すように、付勢方向Ｂに沿って移動し、第１傾斜部２９９内に到達する。そうすると、ボール７１は、第１傾斜部２９９の右壁に衝突し、跳ね返されることにより、その移動方向が付勢方向Ｂに沿う方向から、矢印で示す排出方向Ｄに変更される。なお、本変形例においては、排出方向Ｄと第２傾斜部３００の延びる方向とは、略平行である。これにより、ボール７１は、第２ガイド部により移動方向が変更されて、発射開口１０７から外部に発射される。
【０３１２】
これによっても、上記した第１実施形態〜第６実施形態と同様の作用効果を奏することができる。
（３）上記した第１実施形態では、ボール供給ギヤ７０が欠け歯ギヤ部７３を有するが、ボール供給ギヤ７０が、図３０に示すように、欠け歯ギヤ部７３に代えて、本体部３１０と、抵抗付与部材３１１とを備えていてもよい。
【０３１３】
本体部３１０は、中心軸線Ａ３を中心とする扇形板形状を有している。抵抗付与部材３１１は、ゴムなどの摩擦係数が比較的大きい材料からなり、本体部３１０の周面に巻回されている。これによって、抵抗付与部材３１１の外周面は、本体部３１０の径方向の内側に入り込んだ欠け部分３１２と、欠け部分３１２以外の部分である接触部分３１３とを有している。また、本体部３１０および抵抗付与部材３１１は、欠け部分３１２が第３アイドルギヤ６０と接触せず、接触部分３１３が第３アイドルギヤ６０と接触するサイズを有している。この場合、第３アイドルギヤ６０の周面は、ギヤ歯を有してもよいし、ギヤ歯を有していなくてもよい。
【０３１４】
そして、ボール供給ギヤ７０は、接触部分３１３が第３アイドルギヤ６０に対して前方から接触する初期位置に配置されている。これによっても、入力ギヤ５５に入力された駆動力が、ギヤトレイン３８を介して、ボール供給ギヤ７０に伝達されるように構成できる。
【０３１５】
また、すべてのボール７１が発射ユニット３９から発射されると、ボール供給ギヤ７０は、欠け部分３１２が第３アイドルギヤ６０に対向する終着位置に配置される。そのため、このような構成によっても、発射ユニット３９による全てのボール７１の発射が終了した後において、ボール供給ギヤ７０の回転を停止できる。
（４）また、上記した第１実施形態〜第６実施形態では、図９に示すように、ボール供給ギヤ７０が初期位置に配置された状態において、ばね部材９９が、第２状態の一例としての伸張状態にある。
【０３１６】
しかし、これらに限定されず、例えば、ボール供給ギヤ７０が初期位置に配置された状態において、図１２Ａに示すように、進出部材９８が開放位置に配置され、ばね部材９９が第１状態の一例としての収縮状態に配置されるように、欠け歯ギヤ部７３の欠け歯部７６の配置を変更してもよい。
【０３１７】
このような場合、リセッタ３４が新品の状態で、ボール７１が第１ガイド部９５内に予め配置され、ボール供給ギヤ７０の駆動とともに、発射ユニット３９が第１ガイド部９５内のボール７１を発射するように構成してもよい。
【０３１８】
これらによっても、上記した第１実施形態〜第６実施形態と同様の作用効果を奏することができる。
（５）また、上記の第１実施形態〜第６実施形態において、現像カートリッジ１２は、図３１に示すように、ドラムカートリッジ１１に着脱自在に装着されるが、これに限定されず、例えば、ドラムカートリッジ１１と一体として構成することもできる。なお、この場合には、現像カートリッジ１２とドラムカートリッジ１１とを一体に備えるプロセスカートリッジが、カートリッジの一例として対応する。
【０３１９】
また、現像カートリッジ１２は、現像ローラ２２を有するフレームに対し、トナーが収容されるトナーカートリッジが着脱自在に装着されるように構成することもできる。
【０３２０】
これによっても、上記した第１実施形態〜第６実施形態と同様の作用効果を奏することができる。
（６）また、上記の第１実施形態〜第６実施形態では、図１４に示すように、光学式センサ１１４は、光学式センサ１１４の発光素子から受光素子に至る光路から、遮光レバー１２２が退避したときにオン信号を出力し、その光路が、遮光レバー１２２により遮られたときに、オン信号の出力を停止する。
【０３２１】
しかし、これに限定されず、光学式センサ１１４は、光学式センサ１１４の発光素子から受光素子に至る光路が、遮光レバー１２２により遮られたときに、オフ信号を出力するように構成することもできる。
【０３２２】
これによっても、上記した第１実施形態〜第６実施形態と同様の作用効果を奏することができる。
（７）また、上記の第１実施形態では、欠け歯ギヤ部７３が欠け歯部７６を有しているが、これに限定されず、欠け歯ギヤ部７３は、欠け歯部を有していなくてもよい。
（８）また、上記した第１実施形態〜第６実施形態では、ボール７１は、樹脂材料からなるが、ボール７１の材質は、樹脂に限定されず、ボール７１の材質としては、金属、木製、セラミックなどを適宜用いることが出来る。
（９）また、上記した第１実施形態〜第６実施形態では、ボール７１は、略球状であるが、ボール７１の形状は、特に限定されず、例えば、立方体、直方体、三角錘などの多面体や、円錐などであってもよい。
（１０）上記した第１実施形態〜第６実施形態では、入力ギヤ５５が、駆動入力部の一例であり、カップリングを構成するが、これに限定されず、駆動入力部は、本体ケーシング２からギヤにより駆動力を受けるように構成されていてもよい。
（１１）上記した第１実施形態〜第４実施形態では、弾性部材は、バネであるが、弾性部材は上記のバネに限定されず、スポンジや板バネ、ゴムなどであってもよい。
（１２）上記した第１実施形態〜第６実施形態では、リセッタ３４をドラムカートリッジ１１に装着し、そのドラムカートリッジ１１を本体ケーシング２に装着する構成としたが、これに限られず、現像カートリッジ１２とドラムカートリッジ１１とを一体に備えるプロセスカートリッジに発射装置を設け、リセッタとして構成してもよい。また、リセッタをカートリッジ形状とせず、発射装置のみを左側壁１０９に取り付け可能に構成してもよい。
（１３）上記のリセッタ３４は、本体カップリング１１０から駆動力を受けてボール７１を発射するように構成されているが、これに限定されず、リセッタ３４は、モータと電源とを搭載することにより、本体ケーシング２から駆動力を受けることなく、ボール７１を発射するように構成されてもよい。
【０３２３】
また、リセッタ３４は、感光ドラム１３を駆動するためのギヤなどの本体ケーシング２のギヤから駆動力を受けることによって、ボール７１を発射するように構成されてもよい。
（１４）上記したプリンタ１は、スキャナユニット５を備えるレーザ−プリンタとして構成されているが、プリンタ１は、スキャナユニット５に代えてＬＥＤユニットを備えるＬＥＤプリンタとして構成することもできる。さらに、プリンタ１は、インクジェットプリンタとして構成することもできる。
【０３２４】
また、上記した第１実施形態〜第６実施形態および変形例は、適宜組み合わせることができる。
【符号の説明】
【０３２５】
１      プリンタ
２      本体ケーシング
３４    リセッタ
３５Ｌ  左側壁３５Ｌ
３５Ｒ  右側壁３５Ｒ
３９    発射装置
４６    円周壁
５５    入力ギヤ
７０    物体収容ギヤ
７１    物体
８０    物体受部
９１    付勢ユニット
９３    ガイドフレーム
９５    第１ガイド部
９６    第２ガイド部
９８    進出部材
９９    ばね部材
１０１  延長部
１０５  第３部分
１０７  発射開口
１８０  リセッタフレーム
１９０  取っ手
２３０  発射ユニット
２３２  直動部材
２３４  ガイド部
２４９  発射ユニット
２５３  ガイド部
２５６  第１ガイド部
２５７  第２ガイド部
２６２  圧縮ばね
２６６  発射ユニット
２７０  ばねユニット
２７６  ばね
２９０  発射ユニット
２９７  ガイド板
２９８  ポール部材
２９９  第１傾斜部
３００  第２傾斜部
Ｂ      付勢方向
Ｓ      供給方向
Ｘ      第１ガイド方向
Ｙ      第２ガイド方向
θ      第１ガイド方向と第２ガイド方向Ｙとに形成される角
【図１】
2014170138.tif 000003
【図２】
2014170138.tif 000004
【図３】
2014170138.tif 000005
【図４】
2014170138.tif 000006
【図５】
2014170138.tif 000007
【図６】
2014170138.tif 000008
【図７】
2014170138.tif 000009
【図８】
2014170138.tif 000010
【図９】
2014170138.tif 000011
【図１０】
2014170138.tif 000012
【図１１】
2014170138.tif 000013
【図１２】
2014170138.tif 000014
【図１３】
2014170138.tif 000015
【図１４】
2014170138.tif 000016
【図１５】
2014170138.tif 000017
【図１６】
2014170138.tif 000018
【図１７】
2014170138.tif 000019
【図１８】
2014170138.tif 000020
【図１９】
2014170138.tif 000021
【図２０】
2014170138.tif 000022
【図２１】
2014170138.tif 000023
【図２２】
2014170138.tif 000024
【図２３】
2014170138.tif 000025
【図２４】
2014170138.tif 000026
【図２５】
2014170138.tif 000027
【図２６】
2014170138.tif 000028
【図２７】
2014170138.tif 000029
【図２８】
2014170138.tif 000030
【図２９】
2014170138.tif 000031
【図３０】
2014170138.tif 000032
【図３１】
2014170138.tif 000033